(57)【特許請求の範囲】
【請求項１】
上方向及び下方向に移動可能に支持され、上面に紙葉類を集積するためのステージと、
上記ステージの下面に所定の押圧力で押し付けられて配置され、当該ステージを上記上方向に押し上げるように付勢する付勢部と、
リールと、
一端が上記ステージの上記下面の中央部に係止され、当該ステージを上記下方向に引張可能なように引き回された状態で他端が上記リールに係止されたワイヤと
を具える紙葉類収納装置。
【請求項２】
上記ワイヤは、
上記一端が、上記ステージにかかる上記付勢部の上記押圧力を、当該ステージを水平にするように釣り合わせるような所定位置に係止された
請求項１に記載の紙葉類収納装置。
【請求項３】
上記ワイヤが弛まないように、当該ワイヤに上記リール側に引っ張るようなテンションをかけるテンショナ
を具える請求項２に記載の紙葉類収納装置。
【請求項４】
上記テンショナは、
上記リールと一体化された
請求項３に記載の紙葉類収納装置。
【請求項５】
紙葉類を収納する紙葉類収納部が設けられた紙葉類取扱装置であって、
上記紙葉類収納部は、
上方向及び下方向に移動可能に支持され、上面に上記紙葉類を集積するためのステージと、
上記ステージの下面に所定の押圧力で押し付けられて配置され、当該ステージを上記上方向に押し上げるように付勢する付勢部と、
リールと、
一端が上記ステージの上記下面の中央部に係止され、当該ステージを上記下方向に引張可能なように引き回された状態で他端が上記リールに係止されたワイヤと
を具える紙葉類取扱装置。
【発明の詳細な説明】
【技術分野】
【０００１】
本発明は紙葉類収納装置及び紙葉類取扱装置に関し、例えば、スーパーマーケットやコンビニエンスストアのような小売店舗のいわゆる、レジと呼ばれる精算台に設置されて使用される自動釣銭機に適用して好適なものである。
【背景技術】
【０００２】
近年、自動釣銭機としては、ＰＯＳ（Point  Of  Sales）システム等に接続されたレジスタ部と、硬貨や、紙葉類としての紙幣の入出金処理を行う釣銭処理部とを組み合わせて構成されたものが普及しつつある。
【０００３】
係る自動釣銭機において釣銭処理部は、紙幣を金種別に収納する複数の紙幣収納部が設けられ、購入商品の精算時や紙幣の補充及び回収時に、これら複数の紙幣収納部に、対応する金種の紙幣を１枚ずつ収納し、また収納している紙幣を１枚ずつ繰り出している。
【０００４】
そして従来、この種の紙幣収納部としては、図２３に示すように構成されたものがある。因みに、以下の説明では、便宜上、図２３において矢印ａ１０で示す方向（紙面手前側）を、左方向とも呼び、矢印ｂ１０で示す方向（紙面上側）を、上方向とも呼び、さらに矢印ｃ１０で示す（紙面左側）を、前方向とも呼ぶ。
【０００５】
係る紙幣収納部１００は、上端部に開口が形成された略箱型の紙幣集積庫１０１を有している。そして紙幣集積庫１０１は、フロントフレーム１０１Ａ及びリヤフレーム１０１Ｂよりも上側に張り出した左側のサイドフレーム１０１Ｃの中央部に、上方向と平行な長孔１０１ＣＸが穿設されている。
【０００６】
また紙幣集積庫１０１は、フロントフレーム１０１Ａ及びリヤフレーム１０１Ｂよりも上側に張り出した右側のサイドフレーム（図示せず）の中央部にも、左側のサイドフレーム１０１Ｃと同様に上方向と平行な長孔（図示せず）が穿設されている。
【０００７】
さらに紙幣集積庫１０１の開口の上側中央には、ローラ回動軸（図示せず）が左方向と平行にして一回転方向（図中では時計回方向）、及びこれとは逆の他回転方向（図中では反時計回方向）に回動可能に支持されている。そして、係るローラ回動軸には、一対の繰出ローラ１０２が固定されている。
【０００８】
さらに紙幣集積庫１０１は、フロントフレーム１０１Ａの上端部が前方向に屈曲されている。そしてフロントフレーム１０１Ａの上端部の上側には、ローラ回動軸１０３が左方向と平行な状態で一回転方向及び他回転方向に回動可能に支持されている、このローラ回動軸１０３には、複数の取込繰出ローラ１０４が左方向に沿って所定間隔で固定されている。
【０００９】
またフロントフレーム１０１Ａの上端部の下側には、上側のローラ回動軸１０３に対向させて、ローラ回転軸１０５が左方向と平行にして一回転方向及び他回転方向に回動可能に支持されている。そして、係るローラ回動軸１０５には、複数の分離ローラ１０６が左方向に沿って所定間隔で固定されている。
【００１０】
さらにまた紙幣集積庫１０１は、ステージ１１０を有している。係るステージ１１０の両端部の中央には、当該ステージ１１０の集積面１１０Ａの向く方向に屈曲された一対の支持片部１１０Ｂが設けられている。
【００１１】
一対の支持片部１１０Ｂには、それぞれ外面の上端側及び下端側にポスト１１１、１１２が植設されている。また、これらポスト１１１、１１２には、それぞれ段付きのベアリング１１３、１１４が、当該ポスト１１１、１１２を中心にして回動可能に取り付けられている。
【００１２】
そして一方の支持片部１１０Ｂに取り付けられた２つのベアリング１１３、１１４は、左側のサイドフレーム１０１Ｃの長孔１０１ＣＸに係合されている。また他方の支持片部に取り付けられた２つのベアリングは、右側のサイドフレームの長孔に係合されている。
【００１３】
これにより紙幣集積庫１０１は、左側のサイドフレーム１０１Ｃの長孔１０１ＣＸ及び右側のサイドフレームの長孔を介して、内部にステージ１１０を上方向及び下方向に移動可能に支持している。
【００１４】
これに加えて紙幣集積庫１０１において左側のサイドフレーム１０１Ｃの外面には、長孔１０１ＣＸの上端よりも前斜め上に左側上プーリ１１５が一回転方向及び他回転方向に回動可能に支持されている。
【００１５】
また紙幣集積庫１０１において左側のサイドフレーム１０１Ｃの外面には、長孔１０１ＣＸの下端部の前側に左側下プーリ１１６が一回転方向及び他回転方向に回動可能に支持されている。
【００１６】
さらに紙幣集積庫１０１のフロントフレーム１０１Ａの下端部の前には、左寄りに左側モータ１１７が配置され、当該左側モータ１１７の出力軸には左側モータプーリ１１８が取り付けられている。
【００１７】
そして紙幣収納部１００は、左側スプリング１１９の一端がステージ１１０の一方の支持片部１１０Ｂの上側に植設されたポスト１１１に係止され、その左側スプリング１１９の他端側が左側上プーリ１１５に掛けられた後、下方向に引き回されている。
【００１８】
また紙幣収納部１００は、左側スプリング１１９の他端に左側ワイヤ１２０の始端が係止されている。そして左側ワイヤ１２０は、終端側が左側下プーリ１１６に掛けられた後、左側モータ１１７まで引き回されて、終端が左側モータプーリ１１８に固定されている。
【００１９】
一方、紙幣集積庫１０１において右側のサイドフレームの外面にも、左側のサイドフレーム１０１Ｃと同様に、長孔の上端よりも前斜め上に右側上プーリ（図示せず）が一回転方向及び他回転方向に回動可能に支持されている。
【００２０】
また紙幣集積庫１０１において右側のサイドフレームの外面には、長孔の下端部の前側に右側下プーリ（図示せず）が一回転方向及び他回転方向に回動可能に支持されている。
【００２１】
さらに紙幣集積庫１０１のフロントフレーム１０１Ａの下端部の前には、右寄りに右側モータ（図示せず）が配置され、当該右側モータの出力軸には右側モータプーリ（図示せず）が取り付けられている。
【００２２】
そして紙幣収納部１００は、右側スプリング（図示せず）の一端がステージ１１０の他方の支持片部の上側に植設されたポストに係止され、その右側スプリングの他端側が右側上プーリに掛けられた後、下方向に引き回されている。
【００２３】
また紙幣収納部１００は、右側スプリングの他端に右側ワイヤ（図示せず）の始端が係止されている。そして右側ワイヤは、終端側が右側下プーリに掛けられた後、右側モータまで引き回されて、終端が右側モータプーリに固定されている。
【００２４】
これにより紙幣収納部１００は、紙幣収納時、左側モータ１１７及び右側モータが駆動されると、左側モータプーリ１１８から左側ワイヤ１２０を繰り出して左側スプリング１１９の引っ張りを緩めると共に、右側モータプーリから右側ワイヤを繰り出して右側スプリングの引っ張りを緩めて紙幣集積庫１０１内でステージ１１０を下降させる。
【００２５】
そして紙幣収納部１００は、紙幣集積庫１０１において、ステージ１１０の集積面１１０Ａ上で最も上に位置する紙幣（以下、これを特に最上位紙幣とも呼ぶ）１２１の上面が、繰出モータ１０２の周側面から所定距離だけ離隔した紙幣取込位置に到達すると、当該ステージ１１０の下降を停止させる。
【００２６】
この状態で紙幣収納部１００は、図示しない取込繰出用モータの駆動に応じて複数の取込繰出ローラ１０４を、ローラ回動軸１０３を中心にして他回転方向に回転させる。
【００２７】
また紙幣収納部１００は、図示しない分離用モータの駆動に応じて複数の分離ローラ１０６を、ローラ回動軸１０５を中心にして一回転方向に回転させる。
【００２８】
これにより紙幣収納部１００は、図示しない搬送路を介して順次供給される紙幣１２１を、複数の取込繰出ローラ１０４及び複数の分離ローラ１０６の間を通して紙幣集積庫１０１内に取り込んでステージ１１０の集積面１１０Ａ上に集積する。
【００２９】
ただし、紙幣収納部１００では、ステージ１１０の集積面１１０Ａ上に順次１枚の紙幣を載せる毎に、左側スプリング１１９及び右側スプリングに当該１枚の紙幣の重さがかかり、その左側スプリング１１９及び右側スプリングが僅かに伸びることで、ステージ１１０を順次１枚の紙幣１２１の厚みだけ下降させる。
【００３０】
よって紙幣収納部１００は、紙幣集積庫１０１において最上位紙幣１２１の上面を常に紙幣取込位置に位置させた同一の取込条件で、順次新たに紙幣１２１を取り込むようにして集積している。
【００３１】
一方、紙幣収納部１００は、紙幣繰出時、左側モータ１１７及び右側モータが駆動されると、左側モータプーリ１１８に左側ワイヤ１２０を巻き取って左側スプリング１１９を引っ張ると共に、右側モータプーリに右側ワイヤを巻き取って右側スプリングを引っ張ってステージ１１０を上昇させる。
【００３２】
そして紙幣収納部１００は、最上位紙幣１２１の上面が繰出モータ１０２の周側面に当接した状態から、さらに左側モータ１１７及び右側モータの駆動に応じて左側モータプーリ１１８及び右側モータプーリに左側ワイヤ１２０及び右側ワイヤを所定長さだけ巻き取って左側スプリング１１９及び右側スプリングを引っ張った状態にする。
【００３３】
これにより紙幣収納部１００は、ステージ１１０の集積面１１０Ａ上の最上位紙幣１２１の上面を、繰出モータ１０２の周側面に圧接させる。
【００３４】
この状態で紙幣収納部１００は、取込繰出用モータの駆動に応じて複数の取込繰出ローラ１０４を、ローラ回動軸１０３を中心にして一回転方向に回転させる。
【００３５】
そして紙幣収納部１００は、図示しない繰出用モータの駆動に応じて一対の繰出ローラ１０２を、ローラ回動軸を中心にして一回転方向に回転させる。
【００３６】
これにより紙幣収納部１００は、一対の繰出ローラ１０２により、ステージ１１０の集積面１１０Ａ上に集積されている複数の紙幣１２１を上から順に取込繰出ローラ１０４及び分離ローラ１０６の間に繰り出す。
【００３７】
ただし、紙幣収納部１００は、この際、左側モータ１１７及び右側モータが適宜駆動されることで、左側モータプーリ１１８及び右側モータプーリに左側ワイヤ１２０及び右側ワイヤを徐々に巻き取って左側スプリング１１９及び右側スプリングを引っ張る。
【００３８】
これにより紙幣収納部１００は、ステージ１１０を徐々に上昇させて、常に最上位紙幣１２１の上面を繰出モータ１０２の周側面に圧接させた状態で、一対の繰出ローラ１０２の回転により、ステージ１１０の集積面１１０Ａ上から順次紙幣１２１を繰り出している。
【００３９】
また紙幣収納部１００は、この際、分離用モータの駆動に応じて複数の分離ローラ１０６を、ローラ回動軸１０５を中心にして一回転方向に回転させている。
【００４０】
よって紙幣収納部１００は、一対の繰出ローラ１０２により、ステージ１１０の集積面１１０Ａ上から複数の紙幣１２１が取込繰出ローラ１０４及び分離ローラ１０６側に繰り出されても、最上位紙幣１２１よりも下側の紙幣１２１については分離モータ１０６の回転によりステージ１１０の集積面１１０Ａ上に押し戻す。
【００４１】
これにより紙幣収納部１００は、繰出ローラ１０２、取込繰出ローラ１０４及び分離ローラ１０６により、ステージ１１０の集積面１１０Ａ上に集積されている複数の紙幣１２１を上から順に１枚ずつ分離して搬送路に繰り出している。
【００４２】
このようにして紙幣収納部１００は、左側ワイヤ１２０に直列に接続された左側スプリング１１９と、右側ワイヤに直列に接続された右側スプリングとを用いて紙幣集積庫１０１においてステージ１１０を下降及び上昇させて紙幣を収納し、また繰り出していた（例えば、特許文献１参照）。
【先行技術文献】
【特許文献】
【００４３】
【特許文献１】特開平６−１００１８３号公報（第５頁、第６頁、図２）
【発明の概要】
【発明が解決しようとする課題】
【００４４】
ところで、係る構成の紙幣収納部１００では、紙幣繰出時、ステージ１１０の集積面１０１Ａに対する紙幣１２１の集積状態に応じて左側モータ１１７と右側モータとを個別に制御して、左側モータプーリ１１８への左側ワイヤ１２０の巻取量と、右側モータプーリへの右側ワイヤの巻取量とを変えている。
【００４５】
これにより紙幣収納部１００では、紙幣集積庫１０１内でステージ１１０を左方向に対して傾けて最上位紙幣１２１の上面を水平にし、一対の繰出ローラ１０２の周側面に対する当該最上位紙幣１２１の上面の圧接力を一定にしている。
【００４６】
そして紙幣収納部１００では、紙幣集積庫１０１においてステージ１１０を傾けた状態で紙幣１２１を繰り出した後、紙幣１２１を収納する場合には、当該ステージ１１０を、その傾けた状態から下降させ始めることになる。
【００４７】
ところが、紙幣収納部１００では、紙幣集積庫１０１においてステージ１１０を左側スプリング１１９及び右側スプリングにより吊り下げるようにして支持している。
【００４８】
そして紙幣収納部１００は、紙幣収納時、左側モータプーリ１１８及び右側モータプーリから左側ワイヤ１２０及び右側ワイヤを繰り出して左側スプリング１１９及び右側スプリングの引っ張りを緩めることで、紙幣集積庫１０１内でステージ１１０を、その自重と集積面１１０Ａ上の紙幣の重さとで下降させている。
【００４９】
このため紙幣収納部１００では、紙幣集積庫１０１において例えば、一対の繰出ローラ１０２の周側面に対する圧接から開放された複数の紙幣がステージ１１０の傾きにより集積面１１０Ａ上で左側や右側にずれると、当該ステージ１１０の傾きが大きくなって一対の支持片部１１０Ｂが左側及び右側のサイドフレーム１０１Ｃに当たる等して引っ掛かり、ステージ１１０を下降させ得なくなる場合がある。
【００５０】
そして紙幣収納部１００では、紙幣収納時、紙幣集積庫１０１内でステージ１１０を下降させ得なくなると、一対の繰出ローラ１０２の周側面と最上位紙幣１２１の上面との間に、新たに紙幣１２１を取り込むための十分なスペースを確保することができず、その結果、新たに紙幣１２１を収納し難くなるという問題があった。
【００５１】
本発明は以上の点を考慮してなされたもので、紙葉類を的確に取り込んで収納し得る紙葉類収納装置及び紙葉類取扱装置を提案しようとするものである。
【課題を解決するための手段】
【００５２】
かかる課題を解決するため本発明においては、上方向及び下方向に移動可能に支持され、上面に紙葉類を集積するためのステージと、ステージの下面に所定の押圧力で押し付けられて配置され、当該ステージを上方向に押し上げるように付勢する付勢部と、リールと、一端がステージの下面の中央部に係止され、当該ステージを下方向に引張可能なように引き回された状態で他端がリールに係止されたワイヤとを設けるようにした。
【００５３】
従って本発明では、ステージの上面に対する紙葉類の集積時、リールにワイヤを巻き取ることで、ステージをほぼ水平にしたまま下降させて、当該ステージの上面に積層されている複数の紙葉類のうち最も上に位置する紙葉類のさらに上側に、新たに紙葉類を取り込むための十分なスペースを確保することができる。
【発明の効果】
【００５４】
本発明によれば、上方向及び下方向に移動可能に支持され、上面に紙葉類を集積するためのステージと、ステージの下面に所定の押圧力で押し付けられて配置され、当該ステージを上方向に押し上げるように付勢する付勢部と、リールと、一端がステージの下面の中央部に係止され、当該ステージを下方向に引張可能なように引き回された状態で他端がリールに係止されたワイヤとを設けるようにしたことにより、ステージの上面に対する紙葉類の集積時、リールにワイヤを巻き取ることで、ステージをほぼ水平にしたまま下降させて、当該ステージの上面に積層されている複数の紙葉類のうち最も上に位置する紙葉類のさらに上側に、新たに紙葉類を取り込むための十分なスペースを確保することができ、かくして紙葉類を的確に取り込んで収納し得る紙葉類収納装置及び紙葉類取扱装置を実現することができる。
【図面の簡単な説明】
【００５５】
【図１】第１の実施の形態による自動釣銭機の外観構成を示す略線的斜視図である。
【図２】第１の実施の形態による紙幣処理部の構成を示す略線的側面図である。
【図３】第１の実施の形態による紙幣収納部の構成を示す略線的側面図である。
【図４】昇降台の構成を示す略線的斜視図である。
【図５】紙幣集積庫による昇降台の支持の説明に供する略線的上面図である。
【図６】圧縮コイルばねの配置の説明に供する略線的正面図である。
【図７】オートテンショナの構成を示す略線的斜視図である。
【図８】ステージの他面に対するワイヤの一端の係止の説明に供する略線的下面図である。
【図９】紙幣集積庫内への紙幣の収納の説明に供する略線的側面図である。
【図１０】紙幣集積庫内からの紙幣の繰り出しの説明に供する略線的側面図である。
【図１１】第２の実施の形態による自動釣銭機の外観構成を示す略線的斜視図である。
【図１２】第２の実施の形態による紙幣処理部の構成を示す略線的側面図である。
【図１３】第２の実施の形態による紙幣収納部の構成を示す略線的側面図である。
【図１４】テンショナ一体型リールの構成を示す略線的斜視図である。
【図１５】紙幣収納時のワイヤの巻き取りの説明（１）に供する略線的斜視図である。
【図１６】紙幣収納時のワイヤの巻き取りの説明（２）に供する略線的斜視図である。
【図１７】紙幣収納時のワイヤの巻き取りの説明（３）に供する略線的斜視図である。
【図１８】紙幣繰出時のワイヤの繰り出しの説明（１）に供する略線的斜視図である。
【図１９】紙幣繰出時のワイヤの繰り出しの説明（２）に供する略線的斜視図である。
【図２０】他の実施の形態によるテンショナ一体型リールの構成（１）を示す略線的斜視図である。
【図２１】ワイヤの弛みの防止の説明に供する略線的斜視図である。
【図２２】他の実施の形態によるテンショナ一体型リールの構成（２）を示す略線的斜視図である。
【図２３】従来の紙幣収納部の構成を示す略線的側面図である。
【発明を実施するための形態】
【００５６】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００５７】
（１）第１の実施の形態
（１−１）自動釣銭機の外観構成
図１において、１は全体として第１の実施の形態による自動釣銭機の外観構成を示す。かかる自動釣銭機１は、購入商品の精算時、支払用の硬貨や紙幣を内部に収納して釣銭の有無を自動的に判別し、釣銭の返金が必要な場合、すでに内部に支払で収納していた硬貨や紙幣を釣銭として利用可能な、いわゆるリサイクル型として機能するものである。
【００５８】
自動釣銭機１は、略箱型の釣銭処理部２の背面２Ａ寄りに、図示しないＰＯＳシステム等に接続された略箱型のレジスタ部３が積層配置され、釣銭処理部２の正面側に設けられた略Ｌ字状のフロントパネル４をレジスタ部３の正面３Ａの前に突出させている。
【００５９】
因みに、以下の説明では、自動釣銭機１を、釣銭処理部２のフロントパネル４と対峙して見た場合の図中に矢印ａ１で示す方向を、左方向とも呼び、当該左方向とは逆の方向を、右方向とも呼ぶ。
【００６０】
また、以下の説明では、自動釣銭機１を、釣銭処理部２のフロントパネル４と対峙して見た場合の図中に矢印ｂ１で示す方向を、上方向とも呼び、当該上方向とは逆の方向を、下方向とも呼ぶ。
【００６１】
さらに、以下の説明では、自動釣銭機１を、釣銭処理部２のフロントパネル４と対峙して見た場合の図中に矢印ｃ１で示す方向を、前方向とも呼び、当該前方向とは逆の方向を、後方向とも呼ぶ。
【００６２】
釣銭処理部２は、内部の左寄りに、購入商品の精算用に硬貨を処理（硬貨の鑑別や硬貨収納庫への収納、当該硬貨収納庫からの釣銭用の硬貨の取り出し等）する硬貨処理部（図示せず）が配置され、当該内部の右寄りに後述する紙幣処理部が配置されている。
【００６３】
そしてフロントパネル４において前方向を向くほぼ垂直な前向パネル４Ａには、釣銭処理部２内の硬貨処理部の配置位置に対応させて左寄りの上側に、購入商品の精算時に支払用の硬貨を投入して硬貨処理部に供給するための受皿状の硬貨投入口５が設けられている。
【００６４】
また前向パネル４Ａには、釣銭処理部２内の硬貨処理部の配置位置に対応させて左下に、硬貨処理部内の硬貨収納庫から取り出された釣銭用の硬貨を排出するための受皿状の硬貨排出口６が設けられている。
【００６５】
さらに前向パネル４Ａには、釣銭処理部２内の硬貨処理部の配置位置に対応させて硬貨排出口６の右隣りに、例えば、購入商品の精算時に硬貨処理部で金種を鑑別し得なかった支払用の硬貨を返却するための硬貨返却口７が設けられている。
【００６６】
因みに、硬貨処理部で例えば、金種を判別し得なかった支払用の硬貨は、自動釣銭機１でそのまま取り扱うと例えば、誤動作する場合があるため、釣銭としては利用しないものであり、以下、この硬貨を、リジェクト硬貨とも呼ぶ。
【００６７】
さらに前向パネル４Ａには、釣銭処理部２内の紙幣処理部の配置位置に対応させて右寄りの上側に、購入商品の精算時に支払用の紙幣を紙幣処理部内への取込用に載上し、また紙幣処理部から排出される釣銭用の紙幣を載上するための紙幣トレイ８が配置されている。
【００６８】
さらに前向パネル４Ａには、釣銭処理部２内の紙幣処理部の配置位置に対応させて右寄りの下側に、後述する紙幣カセット９が着脱可能に装着されると共に、当該紙幣カセット９を釣銭処理部２に装着した状態にロックし、また当該ロックを解除するために操作される錠１０が設けられている。
【００６９】
またフロントパネル４において上方向を向くほぼ水平な上向パネル４Ｂには、右寄りに、表示パネル及び種々の操作ボタンを組み合わせて形成された表示操作部１１が設けられている。
【００７０】
因みに、表示操作部１１の表示パネルには、硬貨処理部及び紙幣処理部の稼働状況や、例えば、紙幣処理部での釣銭用の紙幣の不足、紙幣の詰まりの発生等の種々の情報が表示される。
【００７１】
また表示操作部１１の操作ボタンは、例えば、紙幣処理部に対する紙幣の搬送のような、当該紙幣処理部及び硬貨処理部に対する種々の指示を行うものである。
【００７２】
一方、レジスタ部３には、購入商品に付されたバーコードを読み取るための図示しないバーコードリーダが接続されている。
【００７３】
またレジスタ部３には、上面の中央部及び後寄りに、バーコードリーダによるバーコードの読み取りに応じて購入商品の名称や金額のような情報を表示し、また当該表示した情報の修正等のために表面へのタッチ操作が可能なタッチスクリーン１２、１３が配置されている。
【００７４】
さらにレジスタ部３には、上面の左前寄りに、購入された商品の名称や金額等が印字されたレシートを排出するためのレシート排出口１４が設けられている。
【００７５】
そしてレジスタ部３には、自動釣銭機１に対するレジ係の種々の操作等に応じて自動釣銭機１全体を統括制御すると共に、各種処理を実行する図示しない制御部（以下、これを主制御部とも呼ぶ）が内蔵されている。
【００７６】
これにより自動釣銭機１において主制御部は、購入商品の精算時、顧客からレジ係に渡された支払用の紙幣や硬貨を硬貨処理部や紙幣処理部に取り込んで収納する。
【００７７】
また自動釣銭機１において主制御部は、この際、商品の購入金額と顧客の支払金額とに基づき釣銭の有無等を自動的に判別して、適宜、釣銭を紙幣や硬貨として排出してレジ係から顧客に返金させる。
【００７８】
（１−２）紙幣処理部の構成
次いで、図２を用いて紙幣処理部１８の構成について説明する。紙幣処理部１８は、略箱型の筐体（以下、これを紙幣処理筐体とも呼ぶ）２１を有している。
【００７９】
そして紙幣処理筐体１９内には、上述の主制御部と連携して紙幣処理部１８全体を制御する例えば、マイクロプロセッサ構成の図示しない制御部（以下、これを紙幣処理制御部とも呼ぶ）２０が収納されている。
【００８０】
また紙幣処理筐体１９内には、上述の紙幣トレイ８に対応させて前上端部に、紙幣の取込及び排出を行う紙幣入出金部２２が配置されると共に、当該紙幣入出金部２２の下側に上述の紙幣カセット９が着脱可能に装着されている。
【００８１】
さらに紙幣処理筐体１９内には、紙幣入出金部２２の後側に、紙幣の金種や状態（損傷の有無や程度等）を鑑別する紙幣鑑別部２３が配置されている。
【００８２】
さらに紙幣処理筐体１９内には、紙幣カセット９の後側に、紙幣を金種別（例えば、一万円、五千円、千円別）に収納する複数の紙幣収納部２４乃至２６が、後方向に沿って順に配置（固定）されている。
【００８３】
さらにまた紙幣処理筐体１９内には、紙幣入出金部２２、紙幣カセット９、紙幣鑑別部２３、複数の紙幣収納部２４乃至２６との間で紙幣を搬送する搬送路２７が配置されている。
【００８４】
因みに、紙幣トレイ８には、長方形の紙幣が、当該紙幣の短手方向を前方向と一致させるようにして（すなわち、紙幣の一方の長辺を前方向に向けて）載上される。
【００８５】
そして紙幣処理部１８では、紙幣トレイ８に載上された紙幣の向きを基準として、紙幣入出金部２２、紙幣鑑別部２３、紙幣収納部２４乃至２６、紙幣カセット９において紙幣を、当該紙幣の短手方向を前方向と一致させるような向きで扱う。
【００８６】
また紙幣処理部１８では、紙幣トレイ８に載上された紙幣の向きを基準として、搬送路２７により紙幣を、当該紙幣の短手方向を搬送方向と一致させるような向きで搬送する。
【００８７】
紙幣処理制御部２０は、購入商品の精算時、紙幣トレイ８に支払用の１又は複数の紙幣が載上されると、当該紙幣トレイ８上の紙幣を紙幣入出金部２２に取り込んで１枚ずつ分離し、搬送路２７を介して紙幣鑑別部２３に搬送する。
【００８８】
これにより紙幣処理制御部２０は、紙幣紙幣鑑別部２３に紙幣の金種や状態等を鑑別させる。その結果、紙幣処理制御部２０は、紙幣鑑別部２３により正当であると鑑別された紙幣については、当該紙幣鑑別部２３から搬送路２７を介して、その紙幣の金種に応じた紙幣収納部２４乃至２６に搬送して収納する。
【００８９】
ところで、自動釣銭機１は、上述のようにリサイクル形として機能するものである。そして自動釣銭機１は、損傷している紙幣や、曲がり癖の強い紙幣、張りのない紙幣等のように状態の良くない紙幣を支払用として取り込んだ場合、その状態に起因する誤動作や搬送路２７の途中での詰まり等を起こして当該紙幣を正常に処理し得ない場合がある。
【００９０】
このため自動釣銭機１では、状態の良くない紙幣を支払用として取り込んだ場合、その後、その紙幣については釣銭として利用しないようにしている。
【００９１】
因みに、以下の説明では、このように状態が良くないために釣銭としては利用しない紙幣を、リジェクト紙幣とも呼ぶ。
【００９２】
よって紙幣処理制御部２０は、紙幣鑑別部２３において破損や折れ等により異常であると鑑別された紙幣については、支払の勘定には入れるものの、紙幣鑑別部２３から搬送路２７を介して紙幣カセット９に搬送して収納し、その後、釣銭としては利用しない。
【００９３】
このようにして紙幣処理制御部２０は、紙幣鑑別部２３により全ての紙幣が鑑別されると、当該鑑別された紙幣の総額（すなわち、支払用として取り込んだ紙幣の総額）を主制御部に通知する。
【００９４】
その結果、紙幣処理制御部２０は、主制御部から釣銭として返金する紙幣のないことが通知されると、これに応じて支払用の紙幣に対する処理を終了する。
【００９５】
これに対し紙幣処理制御部２０は、主制御部から釣銭として返金する紙幣の金額が通知されると、これに応じて、その金額分の紙幣を釣銭用として、対応する紙幣収納部２４乃至２６から１枚ずつ分離して繰り出させ搬送路２７を介して紙幣鑑別部２３に搬送する。
【００９６】
そして紙幣処理制御部２０は、紙幣鑑別部２３において釣銭用の紙幣の金種を鑑別させた（確認した）後、当該紙幣鑑別部２３から釣銭用の紙幣を、搬送路２７を介して紙幣入出金部２２へ搬送する。
【００９７】
これにより紙幣処理制御部２０は、紙幣入出金部２２から釣銭用の紙幣を紙幣トレイ８上に排出させる。このようにして紙幣処理制御部２０は、購入商品の精算時、釣銭として紙幣を返金する必要がある場合、当該釣銭としての紙幣を返金することができる。
【００９８】
ところで、紙幣カセット９内には、上側に例えば、数十枚程度のリジェクト紙幣を集積可能なリジェクト庫９Ａが収納されている。
【００９９】
よって紙幣処理制御部２０は、上述のように紙幣鑑別部２３からリジェクト紙幣を、搬送路２７を介して紙幣カセット９に搬送した場合、当該リジェクト紙幣を収納カセット９内のリジェクト庫９Ａに収納する。
【０１００】
これに加えて紙幣カセット９内には、リジェクト庫９Ａの下側に、例えば、数百枚程度の紙幣を集積可能で当該紙幣の補充回収用の補充回収庫９Ｂも収納されている。
【０１０１】
また紙幣処理制御部２０は、複数の紙幣収納部２４乃至２６に対する紙幣の収納状態を監視し、これを主制御部に通知している。
【０１０２】
そして主制御部は、紙幣処理制御部２０からの係る通知を受けて、紙幣収納部２４乃至２６に対する紙幣の補充の有無及び回収の有無を判別し、紙幣の補充が必要な場合は、これを上述の表示操作部１１を介してレジ係に通知する。
【０１０３】
その結果、主制御部は、補充回収庫９Ｂに補充用の紙幣が装填された紙幣カセット９が釣銭処理部２に装着された後、レジ係等によって表示操作部１１を介して紙幣の補充が指示されると、紙幣処理制御部２０に紙幣の補充を指示する。
【０１０４】
これにより紙幣処理制御部２０は、紙幣カセット９の補充回収庫９Ｂから補充用の紙幣を１枚ずつ分離して繰り出し搬送路２７を介して紙幣鑑別部２３に搬送する。
【０１０５】
そして紙幣処理制御部２０は、紙幣鑑別部２３において補充用の紙幣の金種を順次鑑別した後、当該紙幣鑑別部２３から補充用の紙幣を、搬送路２７を介して金種に応じた紙幣収納部２４乃至２６に搬送して収納する。このようにして紙幣処理制御部２０は、複数の紙幣収納部２４乃至２６に紙幣を補充することができる。
【０１０６】
また主制御部は、紙幣収納部２４乃至２６から紙幣の集積量が一定量を越えて当該紙幣の回収が必要な場合、これを紙幣の回収が必要な紙幣収納部２４乃至２６と共に紙幣処理制御部２０に通知する。
【０１０７】
これにより紙幣処理制御部２０は、紙幣の回収が必要な紙幣収納部２４乃至２６から回収用の紙幣を１枚ずつ分離して繰り出させ搬送路２７を介して紙幣鑑別部２３に搬送する。
【０１０８】
そして紙幣処理制御部２０は、紙幣鑑別部２３において回収用の紙幣の金種を鑑別させた（確認した）後、当該紙幣鑑別部２３から回収用の紙幣を、搬送路２７を介して紙幣カセット９に搬送して補充回収庫９Ｂに収納する。
【０１０９】
ところで、紙幣処理制御部２０は、補充回収庫９Ｂに対する紙幣の収納状態も監視し、これを主制御部に通知している。
【０１１０】
そして主制御部は、紙幣処理制御部２０からの係る通知を受けて、補充回収庫９Ｂに収納した回収用の紙幣が一定量を越えたことを検出すると、これを表示操作部１１を介してレジ係に通知して釣銭処理部２から紙幣カセット９を取り外させる。このようにして主制御部は、複数の紙幣収納部２４乃至２６から紙幣を回収させることができる。
【０１１１】
因みに、主制御部は、補充回収庫９Ｂに収納した回収用の紙幣が一定量を越える前に複数の紙幣収納部２４乃至２６で紙幣の補充が必要になった場合は、これを表示操作部１１を介してレジ係に通知する。
【０１１２】
その結果、主制御部は、レジ係等によって表示操作部１１を介して紙幣の補充が指示されると、紙幣処理制御部２０に紙幣の補充を指示し、当該紙幣処理制御部２０に対し上述と同様に紙幣収納部２４乃至２６に紙幣を補充させることができる。
【０１１３】
また紙幣処理制御部２０は、リジェクト庫９Ａに対するリジェクト紙幣の収納状態も監視し、これを主制御部に通知している。
【０１１４】
そして主制御部は、紙幣処理制御部２０からの係る通知を受けて、リジェクト庫９Ａに収納したリジェクト紙幣が一定量を越えたことを検出すると、これを表示操作部１１を介してレジ係に通知して釣銭処理部２から紙幣カセット９を取り外させる。このようにして主制御部は、リジェクト紙幣を回収させることもできる。
【０１１５】
（１−３）紙幣収納部の構成
次いで、紙幣収納部２４乃至２６の構成について説明する。ただし、これら紙幣収納部２４及び２５と紙幣収納部２６とでは、図２からも明らかなように配置の向きが逆であるものの、基本的には同様に構成されている。
【０１１６】
このため、以下には、１つの紙幣収納部２６の構成について具体的に説明し、他の紙幣収納部２４及び２５の具体的な構成については説明を省略する。
【０１１７】
図３に示すように、紙幣収納部２６は、長方形の平板状に形成された底板３０Ａの長辺を左方向と平行にして、上述の紙幣処理筐体１９内に配置された略箱型の紙幣集積庫３０を有している。
【０１１８】
この場合、紙幣集積庫３０において底板３０Ａは、例えば、長辺の長さが紙幣Ｂの長辺の長さよりも僅かに長く選定されると共に、短辺の長さが紙幣Ｂの短辺の長さよりもある程度長く選定されている。
【０１１９】
また紙幣集積庫３０において後側の壁（以下、これを後壁とも呼ぶ）３０Ｂは、底板３０Ａの長辺の長さとほぼ等しい幅、及び所定高さを有する長方形の平板状に形成されている。
【０１２０】
そして紙幣集積庫３０において後壁３０Ｂは、下端が底板３０Ａの後端に接合されて、当該底板３０Ａに対し垂直に設けられている。
【０１２１】
さらに紙幣集積庫３０において前側の壁（以下、これを前壁とも呼ぶ）３０Ｃは、底板３０Ａの長辺の長さとほぼ等しい幅、及び後壁３０Ｂの高さよりも高い所定高さを有し、下端部に対し上端部が略への字を描くように屈曲された板状に形成されている。
【０１２２】
そして紙幣集積庫３０において前壁３０Ｃは、下端が底板３０Ａの前端部において後壁３０Ａから紙幣Ｂの短辺の長さよりも僅かに長い所定距離だけ離れた位置に接合されて、下端部を後壁３０Ｂと平行にし（すなわち、下端部を底板３０Ａに対し垂直にし）、かつ上端部を当該下端部よりも前斜上側に突出させて設けられている。
【０１２３】
さらに紙幣集積庫３０において左側の壁（以下、これを左側壁とも呼ぶ）３０Ｄは、後壁３０Ｂから前壁３０Ｃの上端までの距離とほぼ等しい幅を有すると共に、前壁３０Ｃの高さよりも高い所定高さを有する平板状に形成されている。
【０１２４】
そして紙幣集積庫３０において左側壁３０Ｄは、下端が底板３０Ａの左端に接合されて、下前端部を前壁３０Ｃの下端部よりも前側に突出させると共に、上端部を前壁３０Ｃの上端部及び後壁３０Ｂの上端よりも上側に突出させるようにして設けられている。
【０１２５】
さらに紙幣集積庫３０において図示しない右側の壁（以下、これを右側壁とも呼ぶ）も左側壁３０Ｄと同様に、後壁３０Ｂから前壁３０Ｃの上端までの距離とほぼ等しい幅を有すると共に、前壁３０Ｃの高さよりも高い所定高さを有する平板状に形成されている。
【０１２６】
そして紙幣集積庫３０において右側壁は、下端が底板３０Ａの右端に接合されて、下前端部を前壁３０Ｃの下端部よりも前側に突出させると共に、上端部を前壁３０Ｃの上端部及び後壁３０Ｂの上端よりも上側に突出させるようにして設けられている。
【０１２７】
これに加えて紙幣集積庫３０には、中央部分が略くの字を描くように屈曲された板状の紙幣ガイド３０Ｅが、後壁３０Ｂの上端から前壁３０Ｃの上端の真上近傍までに亘り、後端部を底板３０Ａと平行にし、かつ前端部を前壁３０Ｃの上端部と所定の間隙を介して対向させて設けられている。
【０１２８】
これにより紙幣集積庫３０は、底板３０Ａ、後壁３０Ｂ、前壁３０Ｃの下端部、左側壁３０Ｄの下後端部及び右側壁の下後端部で囲まれた部分に、複数の紙幣Ｂを集積するようにして収納可能な略直方体状（すなわち、水平方向の断面が紙幣Ｂの大きさよりも僅かに大きい長方形状）の紙幣収納空間が形成されている。
【０１２９】
また紙幣集積庫３０は、前壁３０Ｃの上端部、左側壁３０Ｄの上前端部、右側壁の上前端部及び紙幣ガイド３０Ｅの前端部で囲まれた部分に、紙幣収納空間に繋がる紙幣取込繰出口が形成されている。
【０１３０】
ところで、紙幣集積庫３０の左側壁３０Ｄ及び右側壁は、紙幣ガイド３０Ｅの前端部の上側近傍に、ローラ回動軸３１を左方向と平行にして一回転方向（図中では時計回方向）、及びこれとは逆の他回転方向（図中では反時計回方向）に回動可能に支持している。
【０１３１】
そしてローラ回動軸３１には、複数の取込繰出ローラ３２がそれぞれ中心を当該ローラ回動軸３１の中心に一致させ、左方向に沿って所定間隔で固定されている。
【０１３２】
ただし、紙幣集積庫３０は、紙幣ガイド３０Ｅの前端部に、複数の取込繰出ローラ３２に対応する複数の孔が穿設されている。
【０１３３】
よって紙幣集積庫３０は、複数の取込繰出ローラ３２の一部をそれぞれ紙幣ガイド３０Ｅの対応する孔を介して紙幣取込繰出口内の中央部まで入り込ませている。
【０１３４】
そして紙幣収納部２６には、図示しない取込繰出用モータが設けられており、当該取込繰出用モータの出力軸が図示しない複数の駆動伝達ギヤを介してローラ回動軸３１に連結されている。
【０１３５】
これにより紙幣収納部２６は、上述の紙幣処理制御部２０による取込繰出用モータの駆動に応じて、複数の取込繰出ローラ３２を、ローラ回動軸３１を中心にして一回転方向及び他回転方向に回転させる。
【０１３６】
また紙幣集積庫３０の左側壁３０Ｄ及び右側壁は、前壁３０Ｃの上端部の下側近傍に、ローラ回動軸３３を左方向と平行にして一回転方向及び他回転方向に回動可能に支持している。
【０１３７】
そしてローラ回動軸３３には、複数の分離ローラ３４がそれぞれ中心を当該ローラ回動軸３３の中心に一致させ、複数の取込繰出ローラ３２の間隙と対向するように左方向に沿って所定間隔で固定されている。
【０１３８】
ただし、紙幣集積庫３０は、前壁３０Ｃの上端部に、複数の分離ローラ３４に対応する複数の孔が穿設されている。
【０１３９】
よって紙幣集積庫３０は、複数の分離ローラ３４の一部をそれぞれ前壁３０Ｃの対応する孔を介して紙幣取込繰出口内の中央部まで入り込ませて、これら複数の分離ローラ３４の周側面の一部を、複数の取込繰出ローラ３２の周側面の一部に近接させている。
【０１４０】
そして紙幣収納部２６には、図示しない分離用モータが設けられており、当該分離用モータの出力軸が図示しない複数の駆動伝達ギヤを介してローラ回動軸３３に連結されている。
【０１４１】
これにより紙幣収納部２６は、紙幣処理制御部２０による分離用モータの駆動に応じて、複数の分離ローラ３４を、ローラ回動軸３３を中心にして一回転方向に回転させる。
【０１４２】
さらに紙幣集積庫３０は、例えば、紙幣ガイド３０Ｅの屈曲部分の上側近傍に設けられた図示しない軸受部に、ローラ回動軸３５を左方向と平行にして一回転方向及び他回転方向に回動可能に支持している。
【０１４３】
そしてローラ回動軸３５には、例えば、一対の繰出ローラ３６がそれぞれ中心を当該ローラ回動軸３５の中心に一致させて、左方向に沿って所定間隔で固定されている。
【０１４４】
ただし、紙幣集積庫３０は、紙幣ガイド３０Ｅの屈曲部分に、一対の繰出ローラ３６に対応する一対の孔が穿設されている。
【０１４５】
よって紙幣集積庫３０は、一対の繰出ローラ３６の一部をそれぞれ紙幣ガイド３０Ｅの対応する孔を介して紙幣収納空間に入り込ませている。
【０１４６】
そして紙幣収納部２６には、図示しない繰出用モータが設けられており、当該繰出用モータの出力軸が図示しない複数の駆動伝達ギヤを介してローラ回動軸３５に連結されている。
【０１４７】
これにより紙幣収納部２６は、紙幣処理制御部２０による繰出用モータの駆動に応じて、一対の繰出ローラ３６を、ローラ回動軸３５を中心にして一回転方向に回転させる。
【０１４８】
また紙幣集積庫３０内には、複数の紙幣Ｂを集積するための昇降台４０が設けられている。図３及び図４に示すように、昇降台４０は、紙幣Ｂの大きさとほぼ等しい大きさの長方形の平板状のステージ４０Ａを有している。
【０１４９】
また昇降台４０においてステージ４０Ａには、長手方向の一端及び他端の中央部にそれぞれ短手方向の幅よりも狭い幅を有する短冊状のステージ支持板４０Ｂ、４０Ｃが、上面４０ＡＸに垂直で、かつ当該上面４０ＡＸの上側に突出するように設けられている。
【０１５０】
さらに昇降台４０において一対のステージ支持板４０Ｂ、４０Ｃの外面には、それぞれ等しい直径を有する２本のローラ回動軸４１乃至４４が当該ステージ支持板４０Ｂ、４０Ｃの長手方向に沿って（すなわち、上下に）所定間隔で植設されている。
【０１５１】
そして複数のローラ回動軸４１乃至４４には、直径の等しいガイドローラ４５乃至４８が回動可能に取り付けられている。これにより昇降台４０において一対のステージ支持板４０Ｂ、４０Ｃは、それぞれローラ回動軸４１乃至４４を介してガイドローラ４５乃至４８を回動可能に支持している。
【０１５２】
一方、図５に示すように、紙幣集積庫３０の左側壁３０Ｄ及び右側壁３０Ｆには、紙幣収納空間での対向面３０ＤＷ、３０ＦＷの中央部に、上端近傍から下端近傍に亘り長孔３０ＤＸ、３０ＦＸが上方向と平行に穿設されている。
【０１５３】
また左側壁３０Ｄ及び右側壁３０Ｆの外面３０ＤＹ、３０ＦＹには、上端近傍から下端近傍に亘り長孔３０ＤＸ、３０ＦＸよりも幅広な昇降ガイド溝３０ＤＺ、３０ＦＺが、当該長孔３０ＤＸ、３０ＦＸを中心に位置させて上方向と平行に形成されている。
【０１５４】
因みに、長孔３０ＤＸ、３０ＦＸ幅は、ローラ回動軸４１乃至４４の直径とほぼ等しく選定されている。また昇降ガイド溝３０ＤＺ、３０ＦＺの幅は、ガイドローラ４５乃至４８の直径とほぼ等しく選定されている。
【０１５５】
そして昇降台４０は、ステージ４０Ａの上面４０ＡＸを上方向に向けた状態で、一方のステージ支持板４０Ｂに植設されたローラ回動軸４１、４２が左側壁３０Ｄの長孔３０ＤＸに通されて、２つのガイドローラ４５、４６が昇降ガイド溝３０ＤＺ内に挿入されている。
【０１５６】
また昇降台４０は、ステージ４０Ａの上面４０ＡＸを上方向に向けた状態で、他方のステージ支持板４０Ｃに植設されたローラ回動軸４３、４４が右側壁３０Ｆの長孔３０ＦＸに通されて、２つのガイドローラ４７、４８が昇降ガイド溝３０ＦＺ内に挿入されている。
【０１５７】
これにより紙幣集積庫３０は、左側壁３０Ｄ及び右側壁３０Ｆの昇降ガイド溝３０ＤＺ、３０ＦＺを介して内部（紙幣収納空間）にステージ４０Ａ（すなわち、昇降台４０）を上方向及び下方向に移動可能に支持している。
【０１５８】
そして図３及び図６に示すように、紙幣集積庫３０には、紙幣収納空間の底面３０ＡＸ（すなわち、底板３０Ａ）の左半分の部分の中央部とステージ４０Ａの下面４０ＡＹの左半分の部分の中央部との間に、圧縮コイルばね４２が配置されている。
【０１５９】
また紙幣集積庫３０には、紙幣収納空間の底面３０ＡＸの右半分の部分の中央部と、ステージ４０Ａの下面４０ＡＹの右半分の部分の中央部との間にも圧縮コイルばね４３が配置されている。
【０１６０】
この場合、２つの圧縮コイルばね４２、４３は、自然長やバネ定数等が適宜選定されて所定の弾性力を有するように同様に形成されている。
【０１６１】
そして２つの圧縮コイルばね４２、４３は、それぞれ一端がステージ４０Ａの下面４０ＡＹに係止されると共に、他端が紙幣集積庫３０の底面３０ＡＸに係止されて、当該下面４０ＡＹに所定の押圧力で押し付けられている。
【０１６２】
これにより２つの圧縮コイルばね４２、４３は、何ら外力が加えられない状態では元の形状に復元しようと伸びることで、紙幣集積庫３０内でステージ４０Ａをほぼ水平にしたまま上昇させる。
【０１６３】
ただし、２つの圧縮コイルばね４２、４３は、元の形状に復元しようと伸びても、自然長に戻りきる前に、ステージ４０Ａの上面４０ＡＸを一対の繰出ローラ３６の周側面の下側の部分に突き当てる（すなわち、所定の押圧力で押し付ける）ようになされている。
【０１６４】
すなわち、２つの圧縮コイルばね４２、４３は、紙幣集積庫３０内でステージ４０Ａを常に上昇させる（すなわち、上方向に移動させる）ように付勢している。
【０１６５】
また２つの圧縮コイルばね４２、４３は、外力が加えられて目一杯縮められた状態では、紙幣集積庫３０内でステージ４０Ａを下降（すなわち、下方向に移動）させて、当該ステージ４０Ａの下面４０ＡＹを底面３０ＡＸに近接させるようになされている。
【０１６６】
すなわち、２つの圧縮コイルばね４２、４３は、紙幣集積庫３０内でステージ４０Ａを、当該ステージ４０Ａの下面４０ＡＹを底面３０ＡＸに近接させる下側の所定位置から、ステージ４０Ａの上面４０ＡＸを一対の繰出ローラ３６の周側面の下側の部分に突き当てるまでの比較的長い距離の移動範囲内で上下に移動させ得るようになされている。
【０１６７】
さらに２つの圧縮コイルばね４２、４３は、ステージ４０Ａを上昇させた場合、当該ステージ４０Ａの上面４０ＡＸに集積された紙幣Ｂの枚数に関わらずに、その集積された紙幣Ｂのうち、最も上に位置する紙幣Ｂの上面を、一対の繰出ローラ３６の周側面の下側の部分にほぼ一定の押圧力で押し付けるようにもなされている。
【０１６８】
因みに、以下の説明では、紙幣集積庫３０内でステージ４０Ａを上昇させて上面４０ＡＸを一対の繰出ローラ３６の周側面の下側の部分に突き当てたときの当該ステージ４０Ａの位置（すなわち、ステージ４０Ａの上方向への移動の限界位置）を、ステージ上限位置とも呼ぶ。
【０１６９】
また、以下の説明では、紙幣集積庫３０内でステージ４０Ａを下降させて、２つの圧縮コイルばね４２、４３を可能な限り縮めたときの当該ステージ４０Ａの位置（すなわち、ステージ４０Ａの下方向への移動の限界位置）を、ステージ下限位置とも呼ぶ。
【０１７０】
さらに、以下の説明では、ステージ４０Ａの上面４０ＡＸに集積された紙幣Ｂのうち、最も上に位置する紙幣Ｂを、最上位紙幣Ｂとも呼ぶ。
【０１７１】
また紙幣集積庫３０（図３及び図６）には、紙幣収納空間の底面３０ＡＸの中央部に、例えば、略コ字状のステージ側支持部４５が、それぞれ貫通孔が穿設された一対の腕部を左方向に沿って順に並べるように配置されている。
【０１７２】
そしてステージ側支持部４５は、一対の腕部の間にステージ側プーリ４６を介在させた状態で、当該一対の腕部の貫通孔に、そのステージ側プーリ４６の一面の中央部及び他面の中央部に突設された支持軸が左方向と平行に通されて固定されている。
【０１７３】
ここで、ステージ側プーリ４６の一面の中央部及び他面の中央部には、それぞれ支持軸が、図示しないベアリングを介して、当該ステージ側プーリ４６のプーリ中心軸の延長線に一致させて突設されている。
【０１７４】
これによりステージ側支持部４５は、一対の腕部にステージ側プーリ４６を、左方向と平行なプーリ中心軸を中心にして一回転方向及び他回転方向に回動可能に支持している。
【０１７５】
さらに紙幣集積庫３０（図３）には、底板３０Ａにおいて前壁３０Ｃの前側に突出している前端部の中央部にも、例えば、略コ字状のモータ側支持部４７が、それぞれ貫通孔が穿設された一対の腕部を左方向に沿って順に並べるように配置されている。
【０１７６】
そしてモータ側支持部４７は、一対の腕部の間にモータ側プーリ４８を介在させた状態で、当該一対の腕部の貫通孔に、そのモータ側プーリ４８の一面の中央部及び他面の中央部にそれぞれ突設された支持軸が左方向と平行に通されて固定されている。
【０１７７】
この場合、モータ側プーリ４８の一面の中央部及び他面の中央部にも、それぞれ支持軸が、図示しないベアリングを介して、当該モータ側プーリ４８のプーリ中心軸の延長線に一致させて突設されている。
【０１７８】
これによりモータ側支持部４７は、一対の腕部にモータ側プーリ４８を、左方向と平行なプーリ中心軸を中心にして一回転方向及び他回転方向に回動可能に支持している。
【０１７９】
さらに紙幣収納部２６（図３）は、モータ側支持部４７の前に、モータ４９が出力軸４９Ａを左方向と平行にして配置されている。
【０１８０】
そしてモータ４９は、出力軸４９Ａがリール５０の中心に穿設された貫通孔に挿入されて、当該出力軸４９Ａにリール５０が固定されている。
【０１８１】
これにより紙幣収納部２６は、紙幣処理制御部２０によるモータ４９の駆動に応じてリール５０を、出力軸４９Ａを中心にして（すなわち、出力軸４９Ａと共に）一回転方向及び他回転方向に回転させる。
【０１８２】
さらにまた紙幣収納部２６（図３）は、紙幣集積庫３０の前側にオートテンショナ５３が設けられている。図３及び図７に示すように、オートテンショナ５３は、略Ｔ字状のプーリ支持部５４を有している。
【０１８３】
プーリ支持部５４は、紙幣集積庫３０の前壁３０Ｃにおいて底板３０Ａよりも上側の所定位置に、腕部５４Ａの上面を上方向に向け、かつ胴体部５４Ｂの長手方向を上方向と平行にして取り付けられている。
【０１８４】
またプーリ支持部５４は、奥行（すなわち、前後方向の長さ）が適宜選定され、腕部５４Ａ及び胴体部５４Ｂの前面部分を、モータ側プーリ４８とリール５０との間のほぼ真上に位置させている。
【０１８５】
さらにプーリ支持部５４の胴体部５４Ｂは、例えば、紙幣集積庫３０内でステージ４０Ａが上下方向へ移動可能な距離（以下、これをステージ移動可能距離とも呼ぶ）の１／２の長さよりも長い所定長さに選定されている。
【０１８６】
そしてプーリ支持部５４は、胴体部５４Ｂの前面中央部に腕部５４Ａの下面から当該胴体部５４Ｂの下面に亘る（すなわち、胴体部５４Ｂの下面を貫く）、所定の幅及び所定の深さのプーリ移動溝５４ＢＸが上方向と平行に形成されている。
【０１８７】
さらにプーリ支持部５４は、プーリ移動溝５４ＢＸの左内壁及び右内壁にそれぞれ腕部５４Ａの下面近傍から胴体部５４Ｂの下面近傍に亘る上方向と平行な、例えば、ステージ移動可能距離の１／２以下の長さのプーリガイド長孔５４ＢＹ、５４ＢＺが対向させて穿設されている。
【０１８８】
そしてプーリ支持部５４は、プーリ移動溝５４ＢＸにテンションプーリ５５を入り込ませた状態で、一対のプーリガイド長孔５４ＢＹ、５４ＢＺに、そのテンションプーリ５５の一面の中央部及び他面の中央部に突設された所定長さの支持軸５５Ａ、５５Ｂが左方向と平行に挿入されている。
【０１８９】
ここで、テンションプーリ５５についても、上述のモータ側プーリ４８と同様に一面の中央部及び他面の中央部にそれぞれ支持軸５５Ａ、５５Ｂが、図示しないベアリングを介して、当該テンションプーリ５５のプーリ中心軸の延長線に一致させて突設されている。
【０１９０】
これによりプーリ支持部５４は、一対のプーリガイド長孔５４ＢＹ、５４ＢＺを介してプーリ移動溝５４ＢＸ内に（すなわち、モータ側プーリ４８とリール５０との間の真上で）テンションプーリ５５を、上方向及び下方向に移動可能で、かつプーリ中心軸を中心にして一回転方向及び他回転方向に回動可能に支持している。
【０１９１】
因みに、以下の説明では、プーリ支持部５４のプーリ移動溝５４ＢＸ内でテンションプーリ５５が下方向に移動して一対の支持軸５５Ａ、５５Ｂを一対のプーリガイド長孔５４ＢＹ、５４ＢＺの内壁下端に突き当てたときの当該テンションプーリ５５の位置（すなわち、テンションプーリ５５の下方向への移動の限界位置）を、プーリ下限位置とも呼ぶ。
【０１９２】
また、以下の説明では、プーリ支持部５４のプーリ移動溝５４ＢＸ内でテンションプーリ５５が上方向に移動して一対の支持軸５５Ａ、５５Ｂを一対のプーリガイド長孔５４ＢＹ、５４ＢＺの内壁上端に突き当てたときの当該テンションプーリ５５の位置（すなわち、テンションプーリ５５の上方向への移動の限界位置）を、プーリ上限位置とも呼ぶ。
【０１９３】
そしてオートテンショナ５３には、一対の引張ばね５６、５７が設けられている。この場合、一方の引張ばね５６の一端は、プーリ支持部５４の腕部５４Ａにおいて、胴体部５４Ｂよりも左側に張り出している部分の下面前寄りに係止されている。
【０１９４】
また一方の引張ばね５６の他端は、テンションプーリ５５の一方の支持軸５５Ａにおいて、プーリ支持部５４の左側のプーリガイド長孔５４ＢＹを介して胴体部５４Ｂの左側面から突出している部分に係止されている。
【０１９５】
さらに他方の引張ばね５７の一端は、プーリ支持部５４の腕部５４Ａにおいて、胴体部５４Ｂよりも右側に張り出している部分の下面前寄りに係止されている。
【０１９６】
さらにまた他方の引張ばね５７の他端は、テンションプーリ５５の他方の支持軸５５Ｂにおいて、プーリ支持部５４の右側のプーリガイド長孔５４ＢＺを介して胴体部５４Ｂの右側面から突出している部分に係止されている。
【０１９７】
一対の引張ばね５６、５７は、自然長やバネ定数等が適宜選定され、上述の圧縮コイルばね４２、４３の弾性力よりも十分に小さい所定の弾性力を有するように同様に形成されている。
【０１９８】
これにより一対の引張ばね５６、５７は、テンションプーリ５５に下方向へ移動させるような外力が何ら加えられない状態では元の形状に復元しようと縮むことで、プーリ支持部５４のプーリ移動溝５４ＢＸ内でテンションプーリ５５を上方向に移動させる。
【０１９９】
ただし、一対の引張ばね５６、５７は、例えば、元の形状に復元しようと縮んでも、自然長に戻りきる前に、テンションプーリ５５をプーリ上限位置に停止させ得るようになされている。
【０２００】
また一対の引張ばね５６、５７は、プーリ支持部５４のプーリ移動溝５４ＢＸ内でテンションプーリ５５が、外力が加えられて下方向に移動すると、これに応じて伸びる。
【０２０１】
ただし、一対の引張ばね５６、５７は、プーリ支持部５４のプーリ移動溝５４ＢＸ内でテンションプーリ５５が下方向に移動してプーリ下限位置に停止した状態では、降伏しない程度に伸びていることで、テンションプーリ５５を上方向に移動させる（すなわち、上方向に戻す）ように付勢する。
【０２０２】
このようにして一対の引張ばね５６、５７は、プーリ支持部５４のプーリ移動溝５４ＢＸ内（すなわち、ステージ移動可能距離の１／２以下の長さの移動範囲内）でテンションプーリ５５が上方向及び下方向の何れに移動しても、常に上方向に移動させるように付勢している。
【０２０３】
そして紙幣収納部２６（図３及び図６）には、紙幣集積庫３０内でステージ４０Ａを上昇及び降下させるためのワイヤ５８が設けられている。
【０２０４】
ここで、ステージ４０Ａは、上述のように下面４０ＡＹに２つの圧縮コイルばね４２、４３の一端がそれぞれ当該ステージ４０Ａを上方向に移動させるように所定の押圧力で押し付けられている。
【０２０５】
よってワイヤ５８は、一端が、ステージ４０Ａにかかる２つの圧縮コイルばね４２、４３の押圧力を、当該ステージ４０Ａを水平にするように釣り合わせるような下面４０ＡＹの中央部の所定位置（以下、これをワイヤ係止位置とも呼ぶ）に係止されている。
【０２０６】
例えば、図８に示すように、ステージ４０Ａの下面４０ＡＹには、一方の圧縮コイルばね４２の一端が、当該圧縮コイルばね４２の中心線を下面４０ＡＹの左半分の中心位置（以下、これを左側中心位置とも呼ぶ）Ｐ１に直交させるように位置決めされた状態で係止されている。
【０２０７】
またステージ４０Ａの下面４０ＡＹには、他方の圧縮コイルばね４３の一端が、当該圧縮コイルばね４３の中心線を下面４０ＡＹの右半分の中心位置（以下、これを右側中心位置とも呼ぶ）Ｐ２に直交させるように位置決めされた状態で係止されている。
【０２０８】
よってワイヤ５８の一端は、係る構成の場合、ステージ４０Ａの下面４０ＡＹにおいて左側中心位置Ｐ１と右側中心位置Ｐ２との中間位置（すなわち、左側中心位置Ｐ１及び右側中心位置Ｐ２の何れからも同一の距離Ｌ１だけ離れた位置）をワイヤ係止位置Ｐ３として係止されている。
【０２０９】
そして、上述のステージ側支持部４５（図３及び図６）は、紙幣集積庫３０の底面３０ＡＸにおいて、ステージ４０Ａの下面４０ＡＹのコイル係止位置Ｐ３のほぼ真下に配置され、ステージ側プーリ４５を支持している。
【０２１０】
このためワイヤ５８（図３及び図６）は、他端側がステージ４０Ａの真下の部分を下方向と平行にした状態でステージ側プーリ４５に架けられて、そのステージ側プーリ４５から、さらに前方向に引き回されている。
【０２１１】
またワイヤ５８は、ステージ側プーリ４５の前に引き出された他端側が、さらにモータ側プーリ４８に架けられて上方向に引き回されてテンションプーリ５５に架けられた後、下方向に引き回されて、他端がリール５０に係止されている。
【０２１２】
そして紙幣収納部２６では、上述のモータ４９として、２つの圧縮コイルばね４２、４３の弾性力よりも大きいトルクを発生させるものが設けられている。
【０２１３】
よって紙幣収納部２６は、モータ４９が駆動され出力軸４９Ａと共にリール５０が一回転方向に回転した場合、当該リール５０にワイヤ５８を巻き取る。
【０２１４】
これにより紙幣収納部２６は、紙幣集積庫３０内でステージ４０Ａをワイヤ５８によって下方向に引っ張る（引き下げる）ようにして２つの圧縮コイルばね４２、４３を上方向への付勢に抗して縮めることで、当該ステージ４０Ａを降下（下方向へ移動）させることができる。
【０２１５】
また紙幣収納部２６は、モータ４９が駆動され出力軸４９Ａと共にリール５０が他回転方向に回転した場合、当該リール５０から、これに巻き取っていたワイヤ５８を繰り出す。
【０２１６】
これにより紙幣収納部２６は、紙幣集積庫３０内でワイヤ５８によるステージ４０Ａの下方向への引っ張りを緩めるようにして２つの圧縮コイルばね４２、４３を、その弾性力に従って伸ばすことで、当該ステージ４０Ａを２つの圧縮コイルばね４２、４３で押し上げるようにして上昇（上方向へ移動）させることができる。
【０２１７】
ところで、オートテンショナ５３は、上述のようにワイヤ５８が架けられているテンションプーリ５５を一対の引張ばね５６、５７によって常に上方向に移動させるように付勢している。
【０２１８】
これによりオートテンショナ５３は、一対の引張ばね５６、５７の付勢によりテンションプーリ５５を適宜上方向に移動させてワイヤ５８を引っ張ることで、当該ワイヤ５８に常にテンションをかけて弛まないようにしている。
【０２１９】
そしてワイヤ５８は、例えば、リール５０から全体が繰り出された際、弛んだ状態でステージ４０Ａをステージ上限位置まで上昇させるような長さを有するものの、その弛みをオートテンショナ５３によるテンションプーリ５５のプーリ下限位置よりも上で、最大でもプーリ上限位置となる所定位置への変位で解消可能な所定長さに選定されている。
【０２２０】
また紙幣集積庫３０は、例えば、前壁３０Ｃの下端部の前の上寄りに光センサの発光素子６０が光軸を後方向に対し斜め上に傾けて配置されると共に、その光軸上で紙幣ガイド３０Ｅの後端部の上側に当該光センサの受光素子６１が配置されている。
【０２２１】
さらに紙幣集積庫３０は、前壁３０Ｃの下端部の上寄りに発光素子６０の光軸に対応する孔が穿設されると共に、紙幣ガイド３０Ｅの後端部にも当該光軸に対応する孔が穿設されている。
【０２２２】
これにより光センサは、紙幣集積庫３０内で最上位紙幣Ｂが光軸よりも下側に下がっている（すなわち、紙幣収納空間の上寄りの部分が空いている）と、発光素子６０により発射した光ビームを紙幣収納空間の上前側を斜め上に向けて横切らせて受光素子６１で受光することができる。
【０２２３】
また光センサは、紙幣集積庫３０内で最上位紙幣Ｂや、その下の紙幣Ｂ、またステージ４０Ａが光ビームの光軸にかかると、発光素子６０により発射した光ビームが、その最上位紙幣Ｂや他の紙幣Ｂ、またステージ４０Ａにより遮られて受光素子６１では受光し得なくなる。
【０２２４】
このようにして光センサは、受光素子６１による光ビームの受光の有無を検出し、その検出結果を紙幣処理制御部２０に通知している。
【０２２５】
これにより紙幣処理制御部２０は、光センサからの通知に基づき最上位紙幣Ｂが、その上面に新たに紙幣Ｂを積層可能な（すなわち、一対の繰出ローラ３６の周側面と最上位紙幣Ｂの上面との間に新たに紙幣Ｂを取込可能な空間を形成する）紙幣取込位置に到達したか否かを判別し得るようになされている。
【０２２６】
そして紙幣処理制御部２０は、紙幣収納時や紙幣繰出時、係る判別結果を、紙幣集積庫３０内でのステージ４０Ａの位置決めに利用して、実際に紙幣集積庫３０内へ紙幣Ｂを収納し、また紙幣集積庫３０内から紙幣Ｂを繰り出している。
【０２２７】
ここで、紙幣収納部２６による紙幣集積庫３０内への紙幣Ｂの収納と、当該紙幣集積庫３０内からの紙幣Ｂの繰り出しとについて順に説明する。
【０２２８】
ただし、以下に説明する紙幣集積庫３０内への紙幣Ｂの収納については、紙幣集積庫３０内からの紙幣Ｂの繰り出し後に行われる（すなわち、紙幣集積庫３０内で紙幣Ｂの繰り出しのためにステージ４０Ａを上昇させていた状態から行われる）場合を例にしている。
【０２２９】
このため、紙幣集積庫３０内への紙幣Ｂの収納については、後の紙幣Ｂの繰り出しの説明において詳述するが、ステージ４０Ａを上昇させるためにリール５０から繰り出していたワイヤ５８に、オートテンショナ５３においてテンションプーリ５５を上方向にある程度移動させてテンションをかけていた状態から行われるものとする。
【０２３０】
また、以下の説明において、紙幣集積庫３０内からの紙幣Ｂの繰り出しについては、紙幣集積庫３０内への紙幣Ｂの収納の後に行われる（すなわち、紙幣集積庫３０内で紙幣Ｂの収納のためにステージ４０Ａを下降させていた状態から行われる）場合を例にしている。
【０２３１】
図９に示すように、紙幣処理制御部２０は、紙幣収納時、紙幣収納部２６においてワイヤ５８に、テンションプーリ５５を上方向にある程度移動させてテンションをかけていた状態でモータ４９を駆動し始めてリール５０を一回転方向へ回転させる。
【０２３２】
これにより紙幣収納部２６では、リール５０にワイヤ５８を巻き取り始めると共に、この際、当該ワイヤ５８のリール５０側への引っ張りに応じてオートテンショナ５３においてテンションプーリ５５を上方向に付勢したまま（すなわち、ワイヤ５８にテンションをかけたまま）プーリ下限位置まで下げる。
【０２３３】
そのうえで紙幣収納部２６では、リール５０にワイヤ５８をさらに巻き取ることで、当該ワイヤ５８の一端側をリール５０側に引っ張る。
【０２３４】
よって紙幣収納部２６では、紙幣集積庫３０内でステージ４０Ａをワイヤ５８によって真下に引っ張るようにして２つの圧縮コイルばね４２、４３を強制的に縮めて、当該ステージ４０Ａを下降（下方向へ移動）させる。
【０２３５】
そして紙幣処理制御部２０は、最上位紙幣Ｂの前側の端部（すなわち、一方の長辺）が光ビームの遮光位置よりも下がり、それまで光ビームを受光していないことを通知していた光センサから当該光ビームを受光し得たことが通知されると、その時点で最上位紙幣Ｂが紙幣取込位置に到達したと判断してモータ４９の駆動を停止する。
【０２３６】
よって紙幣収納部２６では、このときリール５０へのワイヤ５８の巻き取りを停止することで、紙幣集積庫３０内でのステージ４０Ａの下降（下方向へ移動）を停止させる。
【０２３７】
この際、紙幣収納部２６では、リール５０への巻き取りを停止したワイヤ５８に、２つの圧縮コイルばね４２、４３によってステージ４０Ａと共に上方向へ引っ張るような力がかかり、これによりワイヤ５８が弛みなく張った状態になっている。
【０２３８】
この状態で紙幣処理制御部２０は、取込繰出用モータを駆動して複数の取込繰出ローラ３２を他回転方向に回転させると共に、分離用モータを駆動して複数の分離モータ３４を一回転方向へ回転させる。そして紙幣処理制御部２０は、搬送路２７を介して紙幣Ｂを紙幣収納部２６へ搬送する。
【０２３９】
よって紙幣収納部２６では、搬送路２７を介して搬送された紙幣Ｂを、紙幣集積庫３０において紙幣取込繰出口から、互いに逆回転している複数の取込繰出モータ３２及び複数の分離モータ３４の間を通して紙幣収納空間に取り込む。
【０２４０】
これにより紙幣収納部２６では、紙幣集積庫３０において紙幣収納空間に取り込んだ紙幣Ｂを、ステージ４０Ａ上の最上位紙幣Ｂの上面に載せる。
【０２４１】
このようにして紙幣収納部２６は、搬送路２７を介して紙幣Ｂが順次搬送される毎に、当該紙幣Ｂを同様にして紙幣集積庫３０内に取り込んでステージ４０Ａの上面４０ＡＸに順に積層するようにして収納する。
【０２４２】
ただし、紙幣処理制御部２０は、この際、モータ４９を適宜駆動してリール５０を一回転方向へ回転させている。すなわち、紙幣収納部２６では、リール５０にワイヤ５８を、テンションをかけた状態で徐々に巻き取る。
【０２４３】
よって紙幣収納部２６では、紙幣集積庫３０内に新たに紙幣Ｂを取り込む毎に、ステージ４０Ａをワイヤ５８で下方向に一定距離だけ引っ張るようにして２つの圧縮コイルばね４２、４３を縮めて下降（下方向へ移動）させる。
【０２４４】
これにより紙幣収納部２６では、紙幣集積庫３０において、ステージ４０Ａ上の新たな最上位紙幣Ｂ（すなわち、このとき取り込んだ紙幣Ｂ）を紙幣取込位置に位置させる。
【０２４５】
このようにして紙幣収納部２６では、紙幣集積庫３０内に、一対の繰出ローラ３６の周側面の下側と最上位紙幣Ｂの上面とを、常に紙幣Ｂの所定枚数分の厚みに相当する距離だけ離隔させた状態で紙幣Ｂを取り込む。
【０２４６】
従って紙幣収納部２６では、紙幣集積庫３０内に順次新たに紙幣Ｂを、紙幣取込繰出口内や、一対の繰出ローラ３６の周側面の下側と最上位紙幣Ｂの上面との間等で詰まらせることなく取り込んでステージ４０Ａ上に集積することができる。
【０２４７】
また紙幣収納部２６では、紙幣集積庫３０内に順次新たに紙幣Ｂを、例えば、後壁３０Ｂとステージ４０Ａとの隙間に入り込ませたり、最上位紙幣Ｂ上で立たせたりすることもなく、ステージ４０Ａ上に的確に集積することができる。
【０２４８】
因みに、紙幣処理制御部２０は、紙幣収納時、紙幣集積庫３０においてステージ４０の上面４０ＡＸに紙幣Ｂが１枚も載っていない場合は、上述と同様にステージ４０Ａを下降させるものの、光センサを介して当該ステージ４０の上面４０ＡＸが紙幣取込位置に到達したことを検出して、モータ４９の駆動を停止する。
【０２４９】
そして紙幣処理制御部２０は、この後、上述と同様に処理することで、紙幣収納部２６において紙幣集積庫３０内に同様に紙幣Ｂを取り込んで集積することができる。
【０２５０】
一方、図１０に示すように、紙幣処理制御部２０は、紙幣繰出時、紙幣収納部２６においてワイヤ５８に、２つの圧縮コイルばね４２、４３によってステージ４０Ａと共に上方向へ引っ張るような力がかかっている状態でモータ４９を駆動し初めてリール５０を他回転方向へ回転させる。
【０２５１】
これにより紙幣収納部２６では、リール５０からワイヤ５８を繰り出して紙幣集積庫３０内に送り出すことで、これに応じて２つの圧縮コイルばね４２、４３を徐々に伸ばしてステージ４０Ａを押し上げるようにして上昇（上方向へ移動）させる。
【０２５２】
ただし、紙幣収納部２６では、上述のように一対の引張ばね５６、５７の弾性力が、２つの圧縮コイルばね４２、４３の弾性力よりも十分に小さい値に選定されている。
【０２５３】
このため紙幣収納部２６では、この際、リール５０から繰り出したワイヤ５８を、オートテンショナ５３においてプーリ下限位置まで下がっているテンションプーリ５５を介して紙幣集積庫３０内に送り出している。
【０２５４】
そして紙幣処理制御部２０は、最上位紙幣Ｂが光ビームの遮光位置に到達し、それまで光ビームを受光していたことを通知していた光センサから当該光ビームを受光し得ないことが通知されると、その時点からモータ４９をさらに一定の間、駆動した後、その駆動を停止する。
【０２５５】
よって紙幣収納部２６では、リール５０からワイヤ５８をさらに繰り出すことで、紙幣集積庫３０内でワイヤ５８によるステージ４０Ａの下方向への引っ張りを緩める。
【０２５６】
これにより紙幣収納部２６では、紙幣集積庫３０内で２つの圧縮コイルばね４２、４３をさらに伸ばしてステージ４０Ａを押し上げるようにして上昇（上方向へ移動）させ、最終的に最上位紙幣Ｂの上面を一対の繰出ローラ３６の周側面の下側に所定の押圧力で押し付ける。
【０２５７】
因みに、紙幣集積庫３０内でステージ４０Ａを、最上位紙幣Ｂの上面を一対の繰出ローラ３６の周側面の下側に所定の押圧力で押し付けるまで上昇させたときの位置は、当該紙幣集積庫３０内から紙幣Ｂを繰り出すための位置であり、以下、この位置を紙幣繰出位置とも呼ぶ。
【０２５８】
ところで、紙幣収納部２６では、この際、紙幣処理制御部２０による上述の一定の間のモータ４９の駆動に応じて、紙幣集積庫３０内でステージ４０Ａを紙幣繰出位置まで上昇させた後も、リール５０からワイヤ５８をある程度の長さだけ繰り出している。
【０２５９】
これにより紙幣収納部２６では、紙幣集積庫３０内でステージ４０Ａと共に当該ステージ４０Ａ上の複数の紙幣Ｂをモータ４９のトルクの影響を何ら受けずに、２つの圧縮コイルばね４２、４３のみで上方向に付勢して、最上位紙幣Ｂの上面を一対の繰出ローラ３６の周側面の下側に所定の押圧力で押し付けることができる。
【０２６０】
ただし、紙幣収納部２６では、ステージ４０Ａの紙幣繰出位置までの上昇後もリール５０から繰り出したワイヤ５８の繰出部分については、その時点では当該ステージ４０Ａの上昇には何ら寄与しない余剰分になる。
【０２６１】
そして紙幣収納部２６では、ワイヤ５８の余剰分を単にリール５０から繰り出しただけでは弛みになるものの、リール５０からワイヤ５８の余剰分を繰り出し始めた時点から、その弛みを自動的にとるようにオートテンショナ５３を機能させる。
【０２６２】
すなわち、紙幣収納部２６では、リール５０からワイヤ５８の余剰分を繰り出し始めると、その時点から当該ワイヤ５８が弛み始めようとするものの、これに応じてテンションプーリ５５をプーリ下限位置から一対の引張ばね５６、５７による上方向への付勢に従って上方向へ移動させ始める。
【０２６３】
そして紙幣収納部２６では、リール５０からワイヤ５８の余剰分が繰り出されている間は、テンションプーリ５５を一対の引張ばね５６、５７による上方向への付勢に従って上方向へ移動させて、その余剰分を吸収して当該ワイヤ５８に弛まないようにテンションをかける。
【０２６４】
すなわち、紙幣収納部２６では、この際、ワイヤ５８の余剰分を紙幣集積庫３０側へは送り出さないように、オートテンショナ５３によりリール５０側に引っ張ってテンションをかけている。
【０２６５】
これにより紙幣収納部２６では、この際、リール５０からワイヤ５８を、ステージ４０Ａを紙幣繰出位置まで上昇させるのに必要な長さ以上に繰り出しているものの、当該ワイヤ５８が弛んでステージ側プーリ４６やモータ側プーリ４８等から外れることを回避している。
【０２６６】
そして紙幣処理制御部２０は、紙幣集積庫３０内でステージ４０Ａを紙幣繰出位置まで上昇させると、取込繰出用モータを駆動して複数の取込繰出ローラ３２を一回転方向に回転させると共に、分離用モータを駆動して複数の分離モータ３４も一回転方向へ回転させる。この状態で紙幣処理制御部２０は、繰出用モータを駆動して一対の繰出ローラ３６を一回転方向に回転させる。
【０２６７】
これにより紙幣収納部２６では、一対の繰出ローラ３６により、紙幣集積庫３０においてステージ４０Ａ上に集積されている複数の紙幣Ｂを上から順に複数の取込繰出ローラ３２及び複数の分離ローラ３４の間に繰り出す。
【０２６８】
ただし、紙幣収納部２６は、一対の繰出ローラ３６により、ステージ４０Ａ上から一度に数枚の紙幣Ｂが複数の取込繰出ローラ３２及び複数の分離ローラ３４側に繰り出されても、最上位紙幣Ｂよりも下側の紙幣Ｂについては複数の分離モータ３４の回転によりステージ４０Ａ上に押し戻す。
【０２６９】
これにより紙幣収納部２６は、一対の繰出ローラ３６、複数の取込繰出ローラ３２及び複数の分離ローラ３４により、ステージ４０Ａ上に集積されている複数の紙幣Ｂを上から順に１枚ずつ分離し紙幣取込繰出口を介して繰り出して搬送路２７に受け渡す。
【０２７０】
ところで、紙幣収納部２６では、この際、上述のようにリール５０からワイヤ５８を、ステージ４０Ａを紙幣繰出位置まで上昇させるのに必要な長さよりも長く繰り出している。
【０２７１】
このため、紙幣収納部２６では、紙幣集積庫３０内から紙幣Ｂを１枚ずつ分離して繰り出す毎に、２つの圧縮コイルばね４２、４３によりオートテンショナ５３からワイヤ５８の余剰分を、テンショナプーリ５５を下方向に移動させて１枚の紙幣Ｂの厚み分の長さだけ引き出すようにして、ステージ４０Ａを徐々に上昇（上方向に移動）させている。
【０２７２】
これにより紙幣収納部２６では、紙幣集積庫３０内から紙幣Ｂを順次繰り出しても、その間、ステージ４０Ａと共に当該ステージ４０Ａ上の複数の紙幣Ｂをモータ４９のトルクの影響を何ら受けずに、２つの圧縮コイルばね４２、４３のみで上方向に付勢して、最上位紙幣Ｂの上面を一対の繰出ローラ３６の周側面の下側に所定の押圧力で押し付けることができる。
【０２７３】
そして紙幣収納部２６では、上述のようにオートテンショナ５３において、ステージ移動可能距離の１／２以下の長さのプーリガイド長孔５４ＢＹ、５４ＢＺを介してテンショナプーリ５５を上方向及び下方向に移動可能に支持している。
【０２７４】
言い換えると、オートテンショナ５３は、テンショナプーリ５５のプーリ下限位置からの上方向への移動により、ワイヤ５８について最大でステージ移動可能距離と同等の長さの余剰分を吸収し得るようにしている。
【０２７５】
よって紙幣収納部２６では、オートテンショナ５３によりステージ移動可能距離と同等の長さの余剰分を吸収していれば、紙幣繰出時、リール５０からワイヤ５８を追加で繰り出すことなく、その余剰分を有効に利用して紙幣集積庫３０内からの紙幣Ｂの繰り出しを完了させることができる。
【０２７６】
ただし、紙幣収納部２６では、仮にワイヤ５８の余剰分の長さが比較的短いために、紙幣集積庫３０内からの紙幣Ｂの繰り出しが完了する前に、ステージ４０Ａの上昇に当該ワイヤ５８の余剰分を使い切り、オートテンショナ５３においてテンショナプーリ５５がプーリ下限位置まで下がると、その時点でステージ４０Ａを上昇させ得なくなる。
【０２７７】
このため、紙幣処理制御部２０は、このようにリール５０から繰り出したワイヤ５８の余剰分が比較的短い場合、モータ４９を適宜駆動してリール５０を他回転方向へ回転させている。
【０２７８】
これにより紙幣収納部２６では、リール５０からワイヤ５８を適宜繰り出して当該ワイヤ５８の余剰分を補充することで、紙幣集積庫３０内でステージ４０Ａを、ワイヤ５８による下方向への引張力を何ら与えることなく、２つの圧縮コイルばね４２、４３の弾性力のみで継続して徐々に上昇させる。
【０２７９】
このようにして紙幣収納部２６では、紙幣集積庫３０において２つの圧縮コイルばね４２、４３のみにより一対の繰出ローラ３６の周側面の下側に最上位紙幣Ｂの上面を常に同一の押圧力で押し付けた状態で、当該最上位紙幣Ｂを繰り出させることができる。
【０２８０】
なお、以上、１つの紙幣収納部２６の構成について説明したが、他の２つの紙幣収納部２４、２５は、上述のように当該１つの紙幣収納部２６とは逆向きに配置されており、基本的には同様に構成されている。
【０２８１】
ただし、２つの紙幣収納部２４、２５は、例えば、収納する紙幣の取扱量に応じて、紙幣集積庫の高さと共に２つの圧縮コイルばねの長さ及びステージの上下の移動範囲等が適宜選定されている。
【０２８２】
（１−４）第１の実施の形態の動作及び効果
以上の構成において、自動釣銭機１の紙幣収納部２４乃至２６では、紙幣集積庫３０にステージ４０Ａを上方向及び下方向に移動可能に支持すると共に、当該ステージ４０Ａと底面３０ＡＸとの間に、そのステージ４０Ａを押し上げる（上方向に移動させる）ように付勢する２つの圧縮コイルばね４２、４３を介在させる。
【０２８３】
また自動釣銭機１の紙幣収納部２４乃至２６では、ステージ４０Ａの下面４０ＡＹの中央部にワイヤ５８の一端を係止する。
【０２８４】
さらに自動釣銭機１の紙幣収納部２４乃至２６では、ワイヤ５８の他端側をステージ４０Ａを真下に引っ張るように引き回した状態で、当該ワイヤ５８の他端を、モータ４９に取り付けられたリール５０に係止する。
【０２８５】
そして自動釣銭機１の紙幣収納部２４乃至２６では、紙幣収納時、モータ４９の駆動に応じてリール５０にワイヤ５８を巻き取ることで、紙幣集積庫３０内でステージ４０Ａを、ワイヤ５８によって真下に引っ張るようにして２つの圧縮コイルばね４２、４３を縮めて下降させる。
【０２８６】
従って自動釣銭機１の紙幣収納部２４乃至２６は、従来に比して簡易な構成で、紙幣集積庫３０内でステージ４０Ａをほぼ水平にしたまま左側壁３０Ｄや右側壁３０Ｆ等に引っ掛けることなく下降させることができる。
【０２８７】
よって自動釣銭機１の紙幣収納部２４乃至２６は、紙幣集積庫３０内で一対の繰出ローラ３６の周側面の下側と最上位紙幣Ｂの上面との間に、新たに紙幣Ｂを取り込むための十分なスペースを確保することができる。
【０２８８】
以上の構成によれば、自動釣銭機１の紙幣収納部２４乃至２６は、紙幣集積庫３０にステージ４０Ａを上方向及び下方向に移動可能に支持して、当該ステージ４０Ａと底面３０ＡＸとの間に、そのステージ４０Ａの下面４０ＡＹに所定の押圧力で押し付けるようにして２つの圧縮コイルばね４２、４３を介在させ、当該ステージ４０Ａの下面４０ＡＹの中央部にワイヤ５８の一端を係止すると共に、そのワイヤ５８を、ステージ４０Ａを真下に引っ張るように引き回した状態で当該ワイヤ５８の他端を、モータ４９に取り付けられたリール５０に係止し、紙幣収納時、モータ４９の駆動に応じてリール５０にワイヤ５８を巻き取ることで、紙幣集積庫３０内でステージ４０Ａを、ワイヤ５８によって真下に引っ張るようにして２つの圧縮コイルばね４２、４３を縮めて下降させるようにした。
【０２８９】
これにより自動釣銭機１の紙幣収納部２４乃至２６は、従来に比して簡易な構成で、紙幣集積庫３０内でステージ４０Ａをほぼ水平にしたまま引っ掛かりなく下降させて、一対の繰出ローラ３６の周側面の下側と最上位紙幣Ｂの上面との間に、新たに紙幣Ｂを取り込むための十分なスペースを確保することができる。よって自動釣銭機１の紙幣収納部２４乃至２６は、紙幣集積庫３０内に紙幣Ｂを的確に取り込んで収納することができる。
【０２９０】
また自動釣銭機１の紙幣収納部２４乃至２６は、ワイヤ５８の一端を、ステージ４０Ａにかかる２つの圧縮コイルばね４２、４３の押圧力を、当該ステージ４０Ａを水平にするように釣り合わせるような下面４０ＡＹの中央部のワイヤ係止位置Ｐ３に係止するようにした。
【０２９１】
従って自動釣銭機１の紙幣収納部２４乃至２６は、紙幣収納時、紙幣集積庫３０内でステージ４０Ａを、より確実に引っ掛かりなく下降させて、新たに紙幣Ｂを取り込むための十分なスペースを的確に確保することができる。
【０２９２】
さらに自動釣銭機１の紙幣収納部２４乃至２６は、紙幣繰出時、モータ４９の駆動に応じてリール５０からワイヤ５８を繰り出すことで、紙幣集積庫３０内でワイヤ５８によるステージ４０Ａの下方向への引っ張りを緩めて２つの圧縮コイルばね４２、４３を伸ばして当該ステージ４０Ａを押し上げるようにして紙幣繰出位置まで上昇させる。
【０２９３】
そして自動釣銭機１の紙幣収納部２４乃至２６は、この際、リール５０からワイヤ５８を、紙幣集積庫３０内でステージ４０Ａを紙幣繰出位置まで上昇させるのに必要な長さよりも長く繰り出すようにした。
【０２９４】
従って、自動釣銭機１の紙幣収納部２４乃至２６は、紙幣集積庫３０内でステージ４０Ａと共に当該ステージ４０Ａ上の複数の紙幣Ｂをモータ４９のトルクの影響を何ら受けずに、２つの圧縮コイルばね４２、４３の比較的大きな弾性力のみで上方向に付勢して、最上位紙幣Ｂの上面を一対の繰出ローラ３６の周側面の下側に所定の押圧力で押し付けることができる。
【０２９５】
すなわち、自動釣銭機１の紙幣収納部２４乃至２６は、ステージ４０Ａ上の複数の紙幣Ｂの状態に何ら依存せずに、リール５０からワイヤ５８を、紙幣集積庫３０内でステージ４０Ａを紙幣繰出位置まで上昇させるのに必要な長さよりも長く繰り出すだけの簡易な制御で、２つの圧縮コイルばね４２、４３により最上位紙幣Ｂの上面を一対の繰出ローラ３６の周側面の下側に一定の圧力で押し付けることができる。
【０２９６】
そして自動釣銭機１の紙幣収納部２４乃至２６は、ワイヤ５８の引回途中に、当該ワイヤ５８にテンションをかけるオートテンショナ５３を設けるようにした。
【０２９７】
従って自動釣銭機１の紙幣収納部２４乃至２６は、紙幣繰出時にリール５０からワイヤ５８を、ステージ４０Ａを紙幣繰出位置まで上昇させるのに必要な長さよりも長く繰り出しても、当該ワイヤ５８が弛んでステージ側プーリ４６やモータ側プーリ４８等から外れることを回避することができる。
【０２９８】
よって自動釣銭機１の紙幣収納部２４乃至２６は、このように紙幣繰出時にリール５０からワイヤ５８を必要以上に繰り出すようにしても、何ら不具合を生じることなく、その後も紙幣Ｂの繰り出しや収納用に動作し続けることができる。
【０２９９】
さらに自動釣銭機１の紙幣収納部２４乃至２６は、紙幣集積庫３０内でステージ４０Ａを上昇及び下降させるための駆動部を１つのモータ４９及び１本のワイヤ５８をもとに構成するようにした。
【０３００】
よって自動釣銭機１の紙幣収納部２４乃至２６は、係る駆動部の構成を簡易化及び小型することができ、その結果、駆動部の配置レイアウトの自由度を格段的に向上させることができる。
【０３０１】
（２）第２の実施の形態
（２−１）自動釣銭機の構成
図１及び図２との対応部分に同一符号を付して示す図１１及び図１２は、第２の実施の形態による自動釣銭機７０を示し、紙幣処理部７１内の紙幣収納部７２乃至７４の一部構成を除いて上述した第１の実施の形態による自動釣銭機１と同様に構成されている。
【０３０２】
（２−２）紙幣収納部の構成
この場合、紙幣収納部７２及び７３と紙幣収納部７４とでは、図１２からも明らかなように配置の向きが逆であるものの、基本的には同様に構成されている。
【０３０３】
このため、以下には、１つの紙幣収納部７４の構成について具体的に説明し、他の紙幣収納部７２及び７３の具体的な構成については説明を省略する。
【０３０４】
図３との対応部分に同一符号を付した図１３に示すように、紙幣収納部７４は、モータ側支持部４７、モータ側プーリ４８及びオートテンショ５３の換わりにテンショナ一体型リール７６が設けられた構成を除いて上述した第１の実施の形態による紙幣収納部２６と同様に構成されている。
【０３０５】
図１４（Ａ）及び（Ｂ）に示すように、テンショナ一体型リール７６は、平歯車でなる駆動ギヤ７７と、リール７８と、トーションばね７９と、リール軸８０とを有している。
【０３０６】
駆動ギヤ７７は、一面７７Ａにおいて中心にリール軸８０に対応する軸孔７７ＡＸが穿設されると共に、当該軸孔７７ＡＸの近傍の所定位置にトーションばね７９の一端を挿入するためのばね孔７７ＡＹが穿設されている。
【０３０７】
また駆動ギヤ７７は、一面７７Ａにおいて複数の歯が形成された周側面寄りの所定位置に円柱状の突起部７７ＡＺが植設されている。
【０３０８】
一方、リール７８は、一面７８Ａにおいて中心部にトーションばね７９のコイル部７９Ａに対応する所定の深さ及び所定の直径を有する図示しない穴が形成されている。
【０３０９】
またリール７８は、穴の底の中心にリール軸８０に対応する軸孔７８ＡＸが穿設されると共に、当該穴の底において軸孔７８ＡＸの近傍の所定位置にトーションばね７９の他端を挿入するための図示しないばね孔も穿設されている。
【０３１０】
さらにリール７８は、一面７８Ａの外周寄りに、その外周に沿った円弧状の突起移動溝７８ＡＹが形成されている。
【０３１１】
リール７８の突起移動溝７８ＡＹは、その幅が、駆動ギヤ７７の突起部７７ＡＺの直径とほぼ等しく選定されると共に、その長さが、例えば、紙幣集積庫３０内でのステージ４０Ａのステージ移動可能距離以下の長さに選定されている。
【０３１２】
さらにトーションばね７９は、コイル部７９Ａの巻き数やバネ定数等が適宜選定され、上述の圧縮コイルばね４２、４３の弾性力よりも十分に小さい所定の弾性力を有するように形成されている。
【０３１３】
そしてリール７８は、ばね孔にトーションばね７９の他端が挿入された状態で、穴に当該トーションばね７９のコイル部７９Ａが挿入されている。
【０３１４】
また駆動ギヤ７７は、トーションばね７９をある程度縮めた状態で、ばね孔に当該トーションばね７９の一端が挿入されると共に、突起部７７ＡＺがリール７８の突起移動溝７８ＡＹに挿入されている。
【０３１５】
このようにしてテンショナ一体型リール７６では、駆動ギヤ７７とリール７８とが、当該リール７８の穴にトーションばね７９を挿入した状態で互いの一面７７Ａ、７８Ａを対向させるようにして組み合わせられている。
【０３１６】
そのうえでテンショナ一体型リール７６は、リール軸８０の一端部が、駆動ギヤ７７の他面側から軸孔７７ＡＸに挿入された後、トーションばね７９のコイル部７９Ａ及びリール７８の軸孔７８ＡＸに順に挿入されている。
【０３１７】
そしてテンショナ一体型リール７６は、リール軸８０に対し、駆動ギヤ７７が固定されると共に、リール７８が当該リール軸８０を中心にして一回転方向及び他回転方向へ回動可能に支持されている。
【０３１８】
ただし、テンショナ一体型リール７６は、リール７８の突起移動溝７８ＡＹに駆動ギヤ７７の突起部７７ＡＺが挿入されている。
【０３１９】
よってテンショナ一体型リール７６は、駆動ギヤ７７に対しリール７８を、突起部７７ＡＺに突起移動溝７８ＡＹの一端を突き当てる位置から当該突起移動溝７８ＡＹの他端を突き当てる位置までの回転範囲で回動する。
【０３２０】
またテンショナ一体型リール７６は、トーションばね７９により、駆動ギヤ７７に対しリール７８を一回転方向に回転させるように付勢している。
【０３２１】
そして紙幣収納部７４は、紙幣集積庫３０の前壁３０Ｃの下端中央部の前に、図示しないリール支持部が配置され、当該リール支持部にテンショナ一体型リール７６がリール軸８０を左方向と平行にして一回転方向及び他回転方向に回動可能に支持されている。
【０３２２】
また紙幣収納部７４は、モータ４９の出力軸４９Ａが、図示しない複数の駆動伝達ギヤを介してテンショナ一体型リール７６の駆動ギヤ７７に連結されている。
【０３２３】
そして紙幣収納部７４は、テンショナ一体型リール７６のリール７８に、ステージ４０の下面４０ＡＹからステージ側プーリ４６を介して前方向に引き回されたワイヤ５８の他端が係止されている。
【０３２４】
ここで、紙幣収納部７４による紙幣集積庫３０内への紙幣Ｂの収納と、当該紙幣集積庫３０内からの紙幣Ｂの繰り出しとについて順に説明する。
【０３２５】
ただし、以下に説明する紙幣集積庫３０内への紙幣Ｂの収納についても、上述した第１の実施の形態と同様に、紙幣集積庫３０内からの紙幣Ｂの繰り出し後に行われる（すなわち、紙幣集積庫３０内で紙幣Ｂの繰り出しのためにステージ４０Ａを上昇させていた状態から行われる）場合を例にしている。
【０３２６】
このため、紙幣集積庫３０内への紙幣Ｂの収納については、後の紙幣Ｂの繰り出しの説明において詳述するが、紙幣Ｂの繰出用にステージ４０Ａを上昇させた際、テンショナ一体型リール７６のリール７８を駆動ギヤ７７よりも一回転方向へ回転させてワイヤ５８を弛まない程度にのみ巻き取っていた状態から行われるものとする。
【０３２７】
また、以下の説明において、紙幣集積庫３０内からの紙幣Ｂの繰り出しについては、紙幣集積庫３０内への紙幣Ｂの収納の後に行われる（すなわち、紙幣集積庫３０内で紙幣Ｂの収納のためにステージ４０Ａを下降させていた状態から行われる）場合を例にしている。
【０３２８】
図１５に示すように、紙幣処理制御部２０は、紙幣収納時、紙幣収納部７４においてテンショナ一体型リール７６のリール７８を駆動ギヤ７７よりも一回転方向へ回転させてワイヤ５８を弛まない程度にのみ巻き取っていた状態で、モータ４９を駆動し始めて当該駆動ギヤ７７を一回転方向へ回転させる。
【０３２９】
この際、紙幣収納部７４では、上述のようにテンショナ一体型リール７６においてトーションばね７９が駆動ギヤ７７に対しリール７８を一回転方向に回転させるように付勢してワイヤ５８に弛まない程度にテンションをかけている。
【０３３０】
ただし、紙幣収納部７４では、トーションばね７９の弾性力が比較的小さいため、テンショナ一体型リール７６においてリール７８が一回転方向へはほとんど回転せずに駆動ギヤ７７が一回転方向に回転する。
【０３３１】
このため図１６に示すように、紙幣収納部７４では、テンショナ一体型リール７６において駆動ギヤ７７が、トーションばね７９を縮めてワイヤ５８にかかるテンションを徐々に強めながら、突起部７７ＡＺをリール７８の突起移動溝７８ＡＹの一端に突き当てるまで回転する。
【０３３２】
そのうえで図１７に示すように、紙幣収納部７４では、テンショナ一体型リール７６において駆動ギヤ７７が、突起部７７ＡＺをリール７８の突起移動溝７８ＡＹの一端に突き当てたまま、さらに一回転方向に回転することで、その回転に連動させて当該駆動ギヤ７７と共にリール７８も一回転方向に回転させる。
【０３３３】
これにより紙幣収納部７４は、テンショナ一体型リール７６のリール７８にワイヤ５８を巻き取って、当該ワイヤ５８をテンショナ一体型リール７６側に引っ張る。
【０３３４】
よって紙幣収納部７４では、紙幣集積庫３０内でステージ４０Ａをワイヤ５８によって真下に引っ張るようにして２つの圧縮コイルばね４２、４３を強制的に縮めて、当該ステージ４０Ａを下降（下方向へ移動）させる。
【０３３５】
このようにして紙幣処理制御部２０は、紙幣集積庫３０内でステージ４０Ａを下降させ、この後は紙幣処理制御部２０の制御のもと、上述した第１の実施の形態の場合と同様に動作することで、当該紙幣集積庫３０内に紙幣Ｂを取り込んでステージ４０Ａ上に集積するようにして収納する。
【０３３６】
ところで、紙幣処理制御部２０は、紙幣集積庫３０内に紙幣Ｂを収納し始めると、モータ４９を適宜駆動してテンショナ一体型リール７６の駆動ギヤ７７を一回転方向へ回転させる。
【０３３７】
このため紙幣収納部７４では、テンショナ一体型リール７６において駆動ギヤ７７と共にリール７８を一回転方向に回転させて、当該リール７８にワイヤ５８を、テンションをかけた状態で徐々に巻き取る。
【０３３８】
よって紙幣収納部７４では、上述した第１の実施の形態の場合と同様に紙幣集積庫３０内に新たに紙幣Ｂを取り込む毎に、ステージ４０Ａをワイヤ５８で下方向に一定距離だけ引っ張るようにして２つの圧縮コイルばね４２、４３を縮めて下降（下方向へ移動）させる。
【０３３９】
これにより紙幣収納部７４では、紙幣集積庫３０において一対の繰出ローラ３６の周側面の下側と最上位紙幣Ｂの上面とを、常に紙幣Ｂの所定枚数分の厚みに相当する距離だけ離隔させた状態で紙幣Ｂを取り込む。
【０３４０】
一方、図１８に示すように、紙幣処理制御部２０は、紙幣繰出時、紙幣収納部７４において上述のようにテンショナ一体型リール７６の駆動ギヤ７７をリール７８と共に一回転方向に回転させていたため、ワイヤ５８に２つの圧縮コイルばね４２、４３によってステージ４０Ａと共に上方向へ引っ張るような力がかかっている状態で、モータ４９を駆動し始めて駆動ギヤ７７を他回転方向へ回転させる。
【０３４１】
よって紙幣収納部７４では、駆動ギヤ７７の他回転方向への回転に応じて突起部７７ＡＺが他回転方向に変位すると、２つの圧縮コイルばね４２、４３によるワイヤ５８の引っ張りに応じて、その駆動ギヤ７７と共にリール７８も突起移動溝７８ＡＹの一端を突起部７７ＡＺに突き当てたまま他回転方向に回転させる。
【０３４２】
これにより紙幣収納部７４では、テンショナ一体型リール７６のリール７８からワイヤ５８を、テンションをかけたまま繰り出して紙幣集積庫３０に送り出すことで、これに応じて２つの圧縮コイルばね４２、４３を徐々に伸ばしてステージ４０Ａを押し上げるようにして上昇（上方向へ移動）させる。
【０３４３】
そして紙幣処理制御部２０は、上述した第１の実施の形態の場合と同様に光センサを介して、最上位紙幣Ｂが光ビームの遮光位置に到達したことを検出すると、その時点からモータ４９をさらに一定の間、駆動した後、その駆動を停止する。
【０３４４】
よって紙幣収納部７４では、テンショナ一体型リール７６において駆動ギヤ７７共にリール７８を共に他回転方向に回転させて、当該リール７８からワイヤ５８をさらに繰り出すことで、紙幣集積庫３０内でワイヤ５８によるステージ４０Ａの下方向への引っ張りを緩める。
【０３４５】
これにより紙幣収納部７４では、紙幣集積庫３０内で２つの圧縮コイルばね４２、４３をさらに伸ばしてステージ４０Ａを紙幣繰出位置まで上昇（上方向へ移動）させて、最上位紙幣Ｂの上面を一対の繰出ローラ３６の周側面の下側に所定の押圧力で押し付ける。
【０３４６】
ところで、紙幣収納部７４では、この際、紙幣処理制御部２０による上述の一定の間のモータ４９の駆動に応じて、紙幣集積庫３０内でステージ４０Ａを紙幣繰出位置まで上昇させた後も、テンショナ一体型リール７６の駆動ギヤ７７を他回転方向へある程度回転させる。
【０３４７】
ただし、紙幣収納部７４では、紙幣集積庫３０内でステージ４０Ａが紙幣繰出位置まで上昇した時点に、２つの圧縮コイルばね４２、４３がワイヤ５８を引っ張らなくなる（すなわち、ワイヤ５８にステージ４０Ａと共に上方向へ引っ張るような力がかからなくなる）。
【０３４８】
このため紙幣収納部７４では、ステージ４０Ａが紙幣繰出位置まで上昇した時点に、テンショナ一体型リール７６においてリール７８だけは他回転方向への回転を自動的に停止させる。
【０３４９】
そして紙幣収納部７４では、テンショナ一体型リール７６においてトーションばね７９がリール７８を一回転方向へ回転させるように付勢している。
【０３５０】
従って紙幣収納部７４では、このようにしてリール７８の回転を停止させても、当該リール７８にワイヤ５８を弛まない程度に巻き取っているような状態（すなわち、ワイヤ５８にリール７８側に引っ張って弛まない程度にテンションをかけている状態）にすることができる。
【０３５１】
よって図１９に示すように、紙幣収納部７４では、この際、テンショナ一体型リール７６において駆動ギヤ７７の突起部７７ＡＺをリール７８の突起移動溝７８ＡＹ内で一端から離して他端側へ移動させるようにして、リール７８の回転は停止させたまま、駆動ギヤ７７のみを他回転方向へある程度回転させる。
【０３５２】
これにより紙幣収納部７４では、紙幣集積庫３０内でステージ４０Ａと共に当該ステージ４０Ａ上の複数の紙幣Ｂをモータ４９のトルクの影響を何ら受けずに、２つの圧縮コイルばね４２、４３のみで上方向に付勢して、最上位紙幣Ｂの上面を一対の繰出ローラ３６の周側面の下側に所定の押圧力で押し付けることができる。
【０３５３】
そして紙幣収納部７４では、紙幣集積庫３０内でステージ４０Ａを紙幣繰出位置まで上昇させた際、当該ステージ４０Ａと共に複数の紙幣Ｂを２つの圧縮コイルばね４２、４３のみで上方向に付勢しているものの、リール７８にワイヤ５８を弛まない程度に巻き取っていることにより、当該ワイヤ５８がステージ側プーリ４６から外れることを回避している。
【０３５４】
このようにして紙幣収納部７４では、ステージ４０Ａを紙幣繰出位置まで上昇させると、この後は紙幣処理制御部２０の制御のもと、上述した第１の実施の形態の場合と同様に動作することで、当該紙幣集積庫３０内から１枚の紙幣Ｂを繰り出して搬送路２７に受け渡す。
【０３５５】
ところで、紙幣収納部７４では、この際、上述のようにテンショナ一体型リール７６においてリール７８の回転は停止させたまま、駆動ギヤ７７の突起部７７ＡＺをリール７８の突起移動溝７８ＡＹ内で一端から離すようにして当該駆動ギヤ７７のみを他回転方向へある程度回転させている。
【０３５６】
そして紙幣収納部７４では、リール７８にワイヤ５８を弛まない程度に巻き取っているような状態（すなわち、ワイヤ５８に弛まない程度にテンションをかけている状態）で、当該ワイヤ５８の回転を停止させている。
【０３５７】
このため、紙幣収納部７４では、紙幣集積庫３０内から紙幣Ｂを１枚ずつ分離して繰り出す毎に、２つの圧縮コイルばね４２、４３によりリール７８からワイヤ５８を、当該リール７８を他回転方向に回転させて１枚の紙幣Ｂの厚み分の長さだけ引き出すようにして、ステージ４０Ａを徐々に上昇（上方向に移動）させている。
【０３５８】
これにより紙幣収納部７４では、紙幣集積庫３０内から紙幣Ｂを順次繰り出しても、その間、ステージ４０Ａと共に当該ステージ４０Ａ上の複数の紙幣Ｂをモータ４９のトルクの影響を何ら受けずに、２つの圧縮コイルばね４２、４３のみで上方向に付勢して、最上位紙幣Ｂの上面を一対の繰出ローラ３６の周側面の下側に所定の押圧力で押し付けることができる。
【０３５９】
そして紙幣収納部７４では、上述のようにリール７８にステージ移動可能距離以下の長さの突起移動溝７８ＡＹが形成されている。
【０３６０】
言い換えると、紙幣収納部７４では、この際、例えば、リール７８に対し駆動ギヤ７７が、突起部７７ＡＺをステージ移動可能距離と等しい長さの突起移動溝７８ＡＹの他端に突き当てるまで回転していると、２つの圧縮コイルばね４２、４３によりリール７８からワイヤ５８を、ステージ移動可能距離と同等の長さだけ引き出すことができる。
【０３６１】
よって紙幣収納部７４では、例えば、リール７８に対し駆動ギヤ７７が、突起部７７ＡＺを突起移動溝７８ＡＹの他端に突き当てるまで回転していれば、紙幣繰出時、駆動ギヤ７７を他回転方向に追加で回転させることなく（すなわち、回転を停止させたまま）、リール７８からワイヤ５８を徐々に引き出すようにして、紙幣集積庫３０内からの紙幣Ｂの繰り出しを完了させることができる。
【０３６２】
ただし、紙幣収納部７４では、仮にリール７８に対し駆動ギヤ７７が、突起部７７ＡＺを突起移動溝７８ＡＹの一端と他端との間に位置させるように回転していたために、紙幣集積庫３０内からの紙幣Ｂの繰り出しが完了する前に、駆動ギヤ７７の突起部７７ＡＺにリール７８の突起移動溝７８ＡＹの一端が突き当たると、その時点で２つの圧縮コイルばね４２、４３によってはリール７８からワイヤ５８を引き出せなくなる。
【０３６３】
このため、紙幣処理制御部２０は、このような場合、モータ４９を適宜駆動して駆動ギヤ７７を他回転方向へ回転させ、当該駆動ギヤ７７の突起部７７ＡＺを突起移動溝７８ＡＹの他端側に変位させる。
【０３６４】
これにより紙幣収納部７４では、２つの圧縮コイルばね４２、４３によりリール７８からワイヤ５８を引き出すことが可能な長さを増加させ、かくして紙幣集積庫３０内でステージ４０Ａを、ワイヤ５８による下方向への引張力を何ら与えることなく、２つの圧縮コイルばね４２、４３の弾性力のみで継続して徐々に上昇させる。
【０３６５】
このようにして紙幣収納部７４では、紙幣集積庫３０において２つの圧縮コイルばね４２、４３のみにより一対の繰出ローラ３６の周側面の下側に最上位紙幣Ｂの上面を常に同一の押圧力で押し付けた状態で、当該最上位紙幣Ｂを繰り出させることができる。
【０３６６】
なお、以上、１つの紙幣収納部７４の構成について説明したが、他の２つの紙幣収納部７２、７３は、上述のように当該１つの紙幣収納部７４とは逆向きに配置されており、基本的には同様に構成されている。
【０３６７】
ただし、２つの紙幣収納部７２、７３は、例えば、収納する紙幣の取扱量に応じて、紙幣集積庫の高さと共に２つの圧縮コイルばねの長さ及び昇降台の上下の移動範囲等が適宜選定されている。
【０３６８】
（２−３）第２の実施の形態の動作及び効果
以上の構成において、自動釣銭機７０の紙幣収納部７２乃至７４では、紙幣集積庫３０の前に、上述の第１の実施の形態によるオートテンショナ５３（図３）とリール５０（図３）とを一体化させたような１つのテンショナ一体型リール７６を設ける。
【０３６９】
そして自動釣銭機７０の紙幣収納部７２乃至７４では、紙幣収納時、モータ４９の駆動に応じてテンショナ一体型リール７６のリール７８にワイヤ５８を巻き取ることで、紙幣集積庫３０内でステージ４０Ａを、ワイヤ５８によって真下に引っ張るようにして２つの圧縮コイルばね４２、４３を縮めて下降させる。
【０３７０】
従って自動釣銭機７０の紙幣収納部７２乃至７４は、上述した第１の実施の形態に比して格段的に簡易な構成で、ステージ４０Ａを紙幣集積庫３０の左側壁３０Ｄや右側壁３０Ｆ等に引っ掛けることなく下降させて、当該紙幣集積庫３０内で一対の繰出ローラ３６の周側面の下側と最上位紙幣Ｂの上面との間に、新たに紙幣Ｂを取り込むための十分なスペースを確保することができる。
【０３７１】
以上の構成によれば、自動釣銭機７０の紙幣収納部７２乃至７４は、１つのテンショナ一体型リール７６を設け、紙幣収納時、モータ４９の駆動に応じてテンショナ一体型リール７６のリール７８にワイヤ５８を巻き取ることで、紙幣集積庫３０内でステージ４０Ａを、ワイヤ５８によって真下に引っ張るようにして２つの圧縮コイルばね４２、４３を縮めて下降させるようにした。
【０３７２】
これにより自動釣銭機７０の紙幣収納部７２乃至７４は、上述した第１の実施の形態によって得られる効果と同じ効果を得ることができると共に、これに加えて、上述した第１の実施の形態に比して構成を格段的に簡易化することができる。
【０３７３】
（３）他の実施の形態
（３−１）他の実施の形態１
なお上述した第１及び第２の実施の形態においては、紙幣集積庫３０内にステージ４０Ａを上方向に押し上げるように付勢する２つの圧縮コイルばね４２、４３を設けるようにした場合について述べた。
【０３７４】
しかしながら本発明は、これに限らず、紙幣集積庫３０内にステージ４０Ａを上方向に押し上げるように付勢する１つの圧縮コイルばねや、３つ以上の圧縮コイルばねを設けるようにしても良い。
【０３７５】
すなわち、本発明は、紙幣集積庫３０内でステージ４０Ａをほぼ水平にしたまま１本のワイヤ５８により下降させ、また１又は複数の圧縮コイルばねにより上昇させることができれば、種々の個数の圧縮コイルばねを種々の配置位置に配置することができる。
【０３７６】
（３−２）他の実施の形態２
また上述した第２の実施の形態においては、紙幣収納部７２乃至７４に、周側面に一周に亘って、駆動伝達ギヤと歯合可能な複数の歯が形成された駆動ギヤ７７を有するテンショナ一体型リール７６を設けるようにした場合について述べた。
【０３７７】
しかしながら本発明は、これに限らず、図１５との対応部分に同一符号を付した図２０に示すように、周側面の一部にのみ、駆動伝達ギヤと歯合可能な複数の歯が形成された駆動ギヤ８３を有するテンショナ一体型リール８４を設けるようにしても良い。
【０３７８】
すなわち、本発明は、例えば、図１５との対応部分に同一符号を付した図２１に示すように、仮にテンショナ一体型リール７６において駆動ギヤ７７と共にリール７８を他回転方向に必要以上に回転させると、当該リール７８から繰り出したワイヤ５８が弛んでステージ側プーリ４６から外れることが考えられる。
【０３７９】
しかしながら、本発明は、テンショナ一体型リール８４を図２０に示すように構成することで、駆動ギヤ８３の他回転方向に対する回転角度を規制して、これに応じてリール７８の他回転方向に対する回転角度も規制することができる。
【０３８０】
よって本発明は、係る構成によれば、テンショナ一体型リール８４において駆動ギヤ８３と共にリール７８を他回転方向に必要以上に回転させることを回避することができる。
【０３８１】
従って本発明は、係る構成により、リール７８から繰り出したワイヤ５８が弛んでステージ側プーリ４６から外れることも回避することができる。
【０３８２】
また本発明は、上述した第１の実施の形態においてモータ４９の出力軸４９Ａとリール５０とを１又は複数の駆動伝達ギヤを介して連結して、その駆動伝達ギヤの少なくとも１つとして、周側面の一部にのみ複数の歯が形成された部分ギヤを用いるようにしても良い。
【０３８３】
本発明は、係る構成によれば、上述した第１の実施の形態のようにモータ４９を駆動してリール５０を直接回転させる場合でも、当該リール５０の回転角度を規制することができる。
【０３８４】
よって本発明は、係る構成によれば、リール５０からワイヤ５８を、オートテンショナ５３でテンションをかけることが可能な長さに限定して繰り出すことができ、当該ワイヤ５８が弛んでステージ側プーリ４６やモータ側プーリ４８等から外れることをほぼ確実に回避することができる。
【０３８５】
（３−３）他の実施の形態３
さらに上述した第２の実施の形態においては、紙幣収納部７２乃至７４にそれぞれテンショナ一体型リール７６を駆動するモータ４９を設けるようにした場合について述べた。
【０３８６】
しかしながら本発明は、これに限らず、図２２に示すように、例えば、互いに同一方向を向けて前後に配置された２つの紙幣収納部７２、７３各々のテンショナ一体型リール８５、８６を１本のリール軸８７にまとめて取り付ける。
【０３８７】
また本発明は、その１本のリール軸８６に取り付けた２つのテンショナ一体型リール８５、８６を、前側に配置された紙幣収納部７２の紙幣集積庫８８の前に一回転方向及び他回転方向に回動可能に支持する。
【０３８８】
さらに本発明は、２つのテンショナ一体型リール８５、８６のリール９０、９１と、２つの紙幣集積庫８８、８９のステージ９２、９３とをそれぞれワイヤ９４、９５によって接続する。
【０３８９】
そして本発明は、２つのテンショナ一体型リール８５、８６の駆動ギヤ９６、９７の両方に、一回転方向及び他回転方向に回動可能に支持された１本の長尺なギヤ９８を歯合させた上で、当該ギヤ９８をモータ９９の出力軸９９Ａに１又は複数の駆動伝達ギヤを介して連結する。
【０３９０】
本発明は、係る構成により、１つのモータ４９を駆動して２つのテンショナ一体型リール８５、８６の駆動ギヤ９６、９７や、リール９０、９１を一括して回転させることができ、上述した第２の実施の形態に比して紙幣収納部の構成を簡易化することができる。
【０３９１】
そして本発明は、係る構成を、他の実施の形態２で上述した構成と組み合わせることもできる。よって本発明は、係る構成の組み合わせによれば、紙幣収納部の構成を簡易化し得ることに加えて、リール９０、９１から繰り出したワイヤ９４、９５が弛んでステージ側プーリ４６から外れることも回避することができる。
【０３９２】
（３−４）他の実施の形態４
さらに上述した第２の実施の形態においては、テンショナ一体型リール７６において駆動ギヤ７７に突起部７７ＡＺを設け、リール７８に突起移動溝７８ＡＹを形成するようにした場合について述べた。
【０３９３】
しかしながら本発明は、これに限らず、テンショナ一体型リール７６において駆動ギヤ７７に突起移動溝を形成し、リール７８に突起部を設けるようにしても良い。
【０３９４】
また本発明は、テンショナ一体型リール７６においてリール７８にトーションばね７９を収納せずに、駆動ギヤ７７に穴を形成してトーションばね７９を収納するようにしても良い。
【０３９５】
さらに本発明は、例えば、テンショナ一体型リールの構成部品として、一面において中央部にトーションばねを収納する穴が形成されと共に、周側面の近傍に当該周側面に沿って突起移動溝が形成され、かつ他面において周側面の近傍の所定位置に突起部が植設された円板状の１又は複数の中間回転板と共に、その中間回転板の穴にそれぞれ収納するための１又は複数のトーションばねを用意する。
【０３９６】
そして本発明は、テンショナ一体型リールを、駆動ギヤとリールとの間に、これらを上述した第２の実施の形態のように直接組み合わせる場合と同様に、１又は複数の中間回転板及び１又は複数のトーションばねとを介在させるようにして組み立てて用いるようにしても良い。
【０３９７】
本発明は、係る構成のテンショナ一体型リールを用いる場合、リール（又は駆動ギヤ）の突起移動溝と、１又は複数の中間回転板の突起移動溝との全体の長さを、例えば、ステージ移動可能距離以下の長さのように、リールに対し駆動ギヤを相対的に所望の回転角度まで回転可能なように選定する。
【０３９８】
これにより本発明は、係る構成のテンショナ一体型リールを用いる場合、当該テンショナ一体型リールにおいて駆動ギヤ、リール、１又は複数の中間回転板の直径を、上述した第２の実施の形態によるテンショナ一体型リール７６の駆動ギヤ及びリールの直径より小さくしながらも、上述した第２の実施の形態の場合と同様にリールに対しワイヤ５８を巻き取り又は繰り出すことができる。
【０３９９】
そして本発明は、係る構成によれば、テンショナ一体型リールの直径（駆動ギヤ、リール、１又は複数の中間回転板の直径）が小さいため、例えば、個々の紙幣収納部を互いに近づけて配置して、紙幣収納部全体を小型化することができる。
【０４００】
（３−５）他の実施の形態５
さらに上述した第１及び第２の実施の形態においては、本発明の紙葉類収納装置を、図１乃至図２２について上述した自動釣銭機１、７０の紙幣処理部１８、７１に設けられた紙幣収納部２４乃至２６、７２乃至７４に適用するようにした場合について述べた。
【０４０１】
しかしながら本発明は、これに限らず、現金自動預払機（ATM：Automatic  Teller  Machine）、現金自動支払機（CD：Cash  Dispenser）、両替機、飲料やタバコ等の自動販売機、電車の切符や観劇のチケット等を販売する券売機、精算機、遊戯機（パチンコ台やスロット台等）等のような紙葉類としての紙幣を取り扱う紙幣取扱装置に設けられる紙幣収納部に広く適用することができる。
【０４０２】
また本発明は、紙葉類収納装置を、コピー機、プリンタ、写真現像機等のように紙葉類としてコピー用紙や印画紙等の印刷紙を扱う印刷機等に設けられる印刷紙収納部等のように、この他種々の紙葉類収納装置にも広く適用することができる。
【０４０３】
（３−６）他の実施の形態６
さらに上述した第１及び第２の実施の形態においては、本発明の紙葉類取扱装置を、図１乃至図２２について上述した自動釣銭機１に適用するようにした場合について述べた。
【０４０４】
しかしながら本発明は、これに限らず、現金自動預払機、現金自動支払機、両替機、自動販売機、券売機、精算機、遊戯機等の紙幣取扱装置や、コピー機、プリンタ、写真現像機等の印刷機等のように、この他種々の紙葉類取扱装置に広く適用することができる。
【０４０５】
（３−７）他の実施の形態７
さらに上述した第１及び第２の実施の形態においては、上方向及び下方向に移動可能に支持されたステージの上面に集積される紙葉類として、図１乃至図２２について上述した紙幣Ｂを適用するようにした場合について述べた。
【０４０６】
しかしながら本発明は、これに限らず、コピー用紙や印画紙等のように、この他種々の紙葉類を広く適用することができる。
【０４０７】
（３−８）他の実施の形態８
さらに上述した第１及び第２の実施の形態においては、上方向及び下方向に移動可能に支持され、上面に紙葉類を集積するためのステージとして、図１乃至図２２について上述した、紙幣Ｂの大きさとほぼ等しい大きさの長方形の平板状のステージ４０Ａを適用するようにした場合について述べた。
【０４０８】
しかしながら本発明は、これに限らず、集積対象の紙葉類の種類に応じて正方形や楕円形、円形等のように、この他種々のステージを広く適用することができる。
【０４０９】
（３−９）他の実施の形態９
さらに上述した第１及び第２の実施の形態においては、ステージの下面に所定の押圧力で押し付けられて配置され、当該ステージを上方向に押し上げるように付勢する付勢部として、図１乃至図２２について上述した２つの圧縮コイルばね４２、４３を適用するようにした場合について述べた。
【０４１０】
しかしながら本発明は、これに限らず、１つの圧縮コイルばねや、３つ以上の圧縮コイルばね、１又は複数の板ばね等のように、この他種々の付勢部を広く適用することができる。
【０４１１】
（３−１０）他の実施の形態１０
さらに上述した第１及び第２の実施の形態においては、リールとして、図１乃至図２２について上述したリール５０と、テンショナ一体形リール７６、８４、８５、８６のリール７８、９０、９１とを適用するようにした場合について述べた。
【０４１２】
しかしながら本発明は、これに限らず、テンショナ一体型リールにおいて突起移動溝に換えて突起部が設けられたリールのように、この他種々の構成のリールを広く適用することができる。
【０４１３】
（３−１１）他の実施の形態１１
さらに上述した第１及び第２の実施の形態においては、ワイヤが弛まないように、当該ワイヤにリール側に引っ張るようなテンションをかけるテンショナとして、図１乃至図２２について上述したオートテンショナ５３と、テンショナ一体形リール７６、８４、８５、８６とを適用するようにした場合について述べた。
【０４１４】
しかしながら本発明は、これに限らず、ワイヤが弛まないように、当該ワイヤにリール側に引っ張るようなテンションをかけることができれば、この他種々の構成のテンショナを広く適用することができる。
【産業上の利用可能性】
【０４１５】
本発明は、自動釣銭機や現金自動預払機に設けられた紙幣収納部等の紙葉類収納装置と、自動釣銭機や現金自動預払機等の紙葉類取扱装置とに利用することができる。
【符号の説明】
【０４１６】
１、７０……自動釣銭機、１８、７１……紙幣処理部、２０……紙幣処理制御部、２４乃至２６、７２乃至７４……紙幣収納部、３０、８８、８９……紙幣集積庫、４０……昇降台、４０Ａ、９２、９３……ステージ、４２、４３……圧縮コイルばね、４９……モータ、５０、７８、９０、９１……リール、５３……オートテンショナ、５５……テンションプーリ、５６、５７……引張ばね、５８、９４、９５……ワイヤ、７６、８４、８５、８６……テンショナ一体型リール、７７、８３、９６、９７……駆動ギヤ、７９……トーションばね。
【図１】
0005790417.tif 000002
【図２】
0005790417.tif 000003
【図３】
0005790417.tif 000004
【図４】
0005790417.tif 000005
【図５】
0005790417.tif 000006
【図６】
0005790417.tif 000007
【図７】
0005790417.tif 000008
【図８】
0005790417.tif 000009
【図９】
0005790417.tif 000010
【図１０】
0005790417.tif 000011
【図１１】
0005790417.tif 000012
【図１２】
0005790417.tif 000013
【図１３】
0005790417.tif 000014
【図１４】
0005790417.tif 000015
【図１５】
0005790417.tif 000016
【図１６】
0005790417.tif 000017
【図１７】
0005790417.tif 000018
【図１８】
0005790417.tif 000019
【図１９】
0005790417.tif 000020
【図２０】
0005790417.tif 000021
【図２１】
0005790417.tif 000022
【図２２】
0005790417.tif 000023
【図２３】
0005790417.tif 000024